(57)【特許請求の範囲】
【請求項１】
ワイヤレス通信のための方法であって、
第１の無線アクセス技術（ＲＡＴ）のための少なくとも１つの潜在的ギャップパターン構成を判断することと、ここで、前記少なくとも１つのギャップパターン構成は、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択することと
を備え、前記少なくとも１つの潜在的ギャップパターン構成は、重みメトリックが割り当てられ、前記選択することは、前記割り当てられた重みメトリックに基づく、
方法。
【請求項２】
前記スケジューリングタイムライン制約は、許可スケジューリングおよびハイブリッド自動再送要求（ＨＡＲＱ）構成のうちの少なくとも１つを備える、
請求項１に記載の方法。
【請求項３】
前記選択されたギャップパターン構成に基づいて少なくとも１つの潜在的ハイブリッド自動再送要求（ＨＡＲＱ）構成を判断することをさらに備える、
請求項１に記載の方法。
【請求項４】
前記少なくとも１つの潜在的ＨＡＲＱ構成を前記判断することは、前記選択されたギャップパターン構成と、フレームオフセットと、周波数分割複信構成と、時分割複信構成とに基づいて、ＨＡＲＱプロセスのうちの少なくとも１つをカスタマイズすることをさらに備え、前記カスタマイズすることは、アップリンク通信と、ダウンリンク通信と、アップリンク通信およびダウンリンク通信の機能とのうちの１つの上で前記第１のＲＡＴのスループットを増加させることに基づく、
請求項３に記載の方法。
【請求項５】
前記少なくとも１つの潜在的ＨＡＲＱ構成は、ＨＡＲＱ構成の所定のセットから選定される、
請求項３に記載の方法。
【請求項６】
前記カスタマイズすることは、
アップリンクＨＡＲＱ許可と送信との関係、
送信と肯定応答（ＡＣＫ）との関係、
ダウンリンクＨＡＲＱ許可とＡＣＫとの関係
のうちの少なくとも１つを変更することを備える、
請求項４に記載の方法。
【請求項７】
前記判断することは、前記第２のＲＡＴのタイムライン制約に基づく、
請求項１に記載の方法。
【請求項８】
前記選択されたギャップパターン構成に基づいて前記第２のＲＡＴの動作を調整することをさらに備える、
請求項１に記載の方法。
【請求項９】
前記選択されたギャップパターン構成の指示を基地局に送ることをさらに備える、
請求項１に記載の方法。
【請求項１０】
フレームオフセットの指示と、ＨＡＲＱパターン構成の指示と、Ｂｌｕｅｔｏｏｔｈトラフィックタイプの指示とのうちの少なくとも１つを基地局に送ることをさらに備える、
請求項１に記載の方法。
【請求項１１】
前記選択することは、基地局によって実行され、ユーザ機器から受信した情報に基づく、
請求項１に記載の方法。
【請求項１２】
前記情報は、共存指示と、Ｂｌｕｅｔｏｏｔｈ動作モードと、ＲＡＴタイミングオフセットと、所望のギャップパターン構成とのうちの少なくとも１つを備える、
請求項１１に記載の方法。
【請求項１３】
前記選択することは、複数のユーザ機器間の重複を低減することにさらに基づく、
請求項１１に記載の方法。
【請求項１４】
前記選択されたギャップパターン構成の指示をユーザ機器に送ることをさらに備える、
請求項１に記載の方法。
【請求項１５】
前記選択されたギャップパターン構成は、前記ユーザ機器によって示される所望のギャップパターン構成とは異なる、
請求項１４に記載の方法。
【請求項１６】
前記選択されたギャップパターン構成を実装するように基地局が通信リソースを構成することをさらに備える、
請求項１に記載の方法。
【請求項１７】
前記通信リソースは、スケジューリング要求（ＳＲ）と、サウンディング基準信号（ＳＲＳ）と、物理ランダムアクセスチャネル（ＰＲＡＣＨ）と、チャネル品質インデックス（ＣＱＩ）とのうちの少なくとも１つを備える、
請求項１６に記載の方法。
【請求項１８】
前記第１のＲＡＴの通信と前記第２のＲＡＴの通信との間のフレームオフセットを判断することをさらに備え、前記少なくとも１つの潜在的ギャップパターン構成は、前記判断されたフレームオフセットに基づく、
請求項１に記載の方法。
【請求項１９】
間欠受信（ＤＲＸ）を用いて前記選択されたギャップパターン構成を実装することをさらに備える、
請求項１に記載の方法。
【請求項２０】
前記選択することは、Ｂｌｕｅｔｏｏｔｈ誤り性能がしきい値を満たすことに基づく、
請求項１に記載の方法。
【請求項２１】
前記選択することは、前記第１のＲＡＴの所望の性能に基づく、
請求項１に記載の方法。
【請求項２２】
前記選択することは、前記第２のＲＡＴの所望の性能に基づく、
請求項１に記載の方法。
【請求項２３】
前記選択することは、所望の制御信号を含んでいるサブフレームへの劣化を低減することに基づく、
請求項１に記載の方法。
【請求項２４】
前記選択されたギャップパターン構成中の不要なサブフレームに基づいて通信アクティビティを調整することをさらに備える、
請求項１に記載の方法。
【請求項２５】
ワイヤレス通信のための装置であって、
第１の無線アクセス技術（ＲＡＴ）のための少なくとも１つの潜在的ギャップパターン構成を判断するための手段と、ここで、前記少なくとも１つのギャップパターン構成は、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択するための手段と
を備え、前記少なくとも１つの潜在的ギャップパターン構成は、重みメトリックが割り当てられ、前記選択することは、前記割り当てられた重みメトリックに基づく、
装置。
【請求項２６】
ワイヤレス通信のためのコンピュータプログラムであって、
少なくとも１つのプロセッサに実行されるプログラムコードを備え、前記プログラムコードは、
第１の無線アクセス技術（ＲＡＴ）のための少なくとも１つの潜在的ギャップパターン構成を判断するためのプログラムコードと、ここで、前記少なくとも１つのギャップパターン構成が、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択するためのプログラムコードと
を備え、前記少なくとも１つの潜在的ギャップパターン構成は、重みメトリックが割り当てられ、前記選択することは、前記割り当てられた重みメトリックに基づく、
コンピュータプログラム。
【請求項２７】
ワイヤレス通信のための装置であって、
メモリと、
前記メモリに接続された少なくとも１つのプロセッサと
を備え、前記少なくとも１つのプロセッサは、
第１の無線アクセス技術（ＲＡＴ）のための少なくとも１つの潜在的ギャップパターン構成を判断することと、前記少なくとも１つのギャップパターン構成は、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択することと
を行うように構成され、前記少なくとも１つの潜在的ギャップパターン構成は、重みメトリックが割り当てられ、前記選択することは、前記割り当てられた重みメトリックに基づく、
装置。
【請求項２８】
前記スケジューリングタイムライン制約は、許可スケジューリングおよびハイブリッド自動再送要求（ＨＡＲＱ）構成のうちの少なくとも１つを備える、
請求項２７に記載の装置。
【請求項２９】
前記少なくとも１つのプロセッサは、前記選択されたギャップパターン構成に基づいて少なくとも１つの潜在的ハイブリッド自動再送要求（ＨＡＲＱ）構成を判断するようにさらに構成される、
請求項２７に記載の装置。
【請求項３０】
前記少なくとも１つのプロセッサは、前記選択されたギャップパターン構成と、フレームオフセットと、周波数分割複信構成と、時分割複信構成とに基づいて、ＨＡＲＱプロセスのうちの少なくとも１つをカスタマイズするようにさらに構成され、前記カスタマイズすることは、アップリンク通信と、ダウンリンク通信と、アップリンク通信およびダウンリンク通信の機能とのうちの１つの上で前記第１のＲＡＴのスループットを増加させることに基づく、
請求項２９に記載の装置。
【請求項３１】
前記少なくとも１つの潜在的ＨＡＲＱ構成は、ＨＡＲＱ構成の所定のセットから選定される、
請求項２９に記載の装置。
【請求項３２】
前記カスタマイズすることは、
アップリンクＨＡＲＱ許可と送信との関係、
送信と肯定応答（ＡＣＫ）との関係、
ダウンリンクＨＡＲＱ許可とＡＣＫとの関係
のうちの少なくとも１つを変更するようにさらに構成された前記少なくとも１つのプロセッサを備える、
請求項３０に記載の装置。
【請求項３３】
前記判断することは、前記第２のＲＡＴのタイムライン制約に基づく、
請求項２７に記載の装置。
【請求項３４】
前記少なくとも１つのプロセッサは、前記選択されたギャップパターン構成に基づいて前記第２のＲＡＴの動作を調整するようにさらに構成された、
請求項２７に記載の装置。
【請求項３５】
前記少なくとも１つのプロセッサは、前記選択されたギャップパターン構成の指示を基地局に送るようにさらに構成される、
請求項２７に記載の装置。
【請求項３６】
前記少なくとも１つのプロセッサは、フレームオフセットの指示と、ＨＡＲＱパターン構成の指示と、Ｂｌｕｅｔｏｏｔｈトラフィックタイプの指示とのうちの少なくとも１つを基地局に送るようにさらに構成される、
請求項２７に記載の装置。
【請求項３７】
選択するように構成された前記少なくとも１つのプロセッサは、基地局に位置し、前記選択は、ユーザ機器から受信した情報に基づく、
請求項２７に記載の装置。
【請求項３８】
前記情報は、共存指示と、Ｂｌｕｅｔｏｏｔｈ動作モードと、ＲＡＴタイミングオフセットと、所望のギャップパターン構成とのうちの少なくとも１つを備える、
請求項３７に記載の装置。
【請求項３９】
前記選択することは、複数のユーザ機器間の重複を低減することにさらに基づく、
請求項３７に記載の装置。
【請求項４０】
前記少なくとも１つのプロセッサは、前記選択されたギャップパターン構成の指示をユーザ機器に送るようにさらに構成される、
請求項２７に記載の装置。
【請求項４１】
前記選択されたギャップパターン構成は、前記ユーザ機器によって示される所望のギャップパターン構成とは異なる、
請求項４０に記載の装置。
【請求項４２】
前記少なくとも１つのプロセッサは、前記選択されたギャップパターン構成を実装するように基地局が通信リソースを構成するようにさらに構成される、
請求項２７に記載の装置。
【請求項４３】
前記通信リソースは、スケジューリング要求（ＳＲ）と、サウンディング基準信号（ＳＲＳ）と、物理ランダムアクセスチャネル（ＰＲＡＣＨ）と、チャネル品質インデックス（ＣＱＩ）とのうちの少なくとも１つを備える、
請求項４２に記載の装置。
【請求項４４】
前記少なくとも１つのプロセッサは、前記第１のＲＡＴの通信と前記第２のＲＡＴの通信との間のフレームオフセットを構成するようにさらに構成され、前記少なくとも１つの潜在的ギャップパターン構成は、前記判断されたフレームオフセットに基づく、
請求項２７に記載の装置。
【請求項４５】
前記少なくとも１つのプロセッサは、間欠受信（ＤＲＸ）を用いて前記選択されたギャップパターン構成を実装するようにさらに構成される、
請求項２７に記載の装置。
【請求項４６】
前記選択することは、Ｂｌｕｅｔｏｏｔｈ誤り性能がしきい値を満たすことに基づく、
請求項２７に記載の装置。
【請求項４７】
前記選択することは、前記第１のＲＡＴの所望の性能に基づく、
請求項２７に記載の装置。
【請求項４８】
前記選択することは、前記第２のＲＡＴの所望の性能に基づく、
請求項２７に記載の装置。
【請求項４９】
前記選択することは、所望の制御信号を含んでいるサブフレームへの劣化を低減することに基づく、
請求項２７に記載の装置。
【請求項５０】
前記少なくとも１つのプロセッサは、前記選択されたギャップパターン構成中の不要なサブフレームに基づいて通信アクティビティを調整するようにさらに構成される、
請求項２７に記載の装置。
【発明の詳細な説明】
【関連出願】
【０００１】
関連出願の相互参照  
本出願は、開示の全体が参照により明確に本明細書に組み込まれる、SADEKらの名義で２０１１年１月２０日を出願された米国仮特許出願第６１／４３４，８２７号、SADEKらの名義で２０１１年２月１４日を出願された米国仮特許出願第６１／４４２，５８０号、SADEKらの名義で２０１１年２月１４日を出願された米国仮特許出願第６１／４４２，７４３号、DAYALらの名義で２０１１年４月４日を出願された米国仮特許出願第６１／４７１，６５４号、DAYALらの名義で２０１１年７月７日を出願された米国仮特許出願第６１／５０５，４１７号、およびDAYALらの名義で２０１１年１０月２８日を出願された米国仮特許出願第６１／５５３，１２２号の利益を主張する。
【技術分野】
【０００２】
本明細書は、一般に複数無線技法に関し、より詳細には、複数無線デバイスのための共存技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例には、符号分割多元接続（ＣＤＭＡ：code division multiple access）システム、時分割多元接続（ＴＤＭＡ：time division multiple access）システム、周波数分割多元接続（ＦＤＭＡ：frequency division multiple access）システム、３ＧＰＰ  Ｌｏｎｇ  Ｔｅｒｍ  Ｅｖｏｌｕｔｉｏｎ（ＬＴＥ：Long Term Evolution）システム、および直交周波数分割多元接続（ＯＦＤＭＡ：orthogonal frequency division multiple access）システムがある。
【０００４】
概して、ワイヤレス多元接続通信システムは、複数のワイヤレス端末のための通信を同時にサポートすることができる。各端末は、順方向リンクおよび逆方向リンク上の送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力または多入力多出力（ＭＩＭＯ）システムを介して確立され得る。
【０００５】
いくつかの従来の高度のデバイスは、異なる無線アクセス技術（ＲＡＴ：Radio Access Technology）を使用して送信／受信するための複数の無線機を含む。ＲＡＴの例には、たとえば、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））、ｃｄｍａ２０００、ＷｉＭＡＸ、ＷＬＡＮ（たとえば、ＷｉＦｉ）、Ｂｌｕｅｔｏｏｔｈ（登録商標）、ＬＴＥなどがある。
【０００６】
例示的なモバイルデバイスは、第４世代（４Ｇ）モバイルフォンなど、ＬＴＥユーザ機器（ＵＥ：User Equipment）を含む。そのような４Ｇフォンは、ユーザに様々な機能を提供するための様々な無線機を含み得る。この例では、４Ｇフォンは、ボイスおよびデータ用のＬＴＥ無線機と、ＩＥＥＥ８０２．１１（ＷｉＦｉ）無線機と、全地球測位システム（ＧＰＳ：Global Positioning System）無線機と、Ｂｌｕｅｔｏｏｔｈ無線機とを含み、上記のうちの２つまたは４つすべてが同時に動作し得る。様々な無線機が電話に有用な機能を提供する一方、単一デバイス中にそれらを含めることは共存問題を生じる。詳細には、１つの無線機の動作が、場合によっては、放射性、伝導性のリソース衝突、および／または他の干渉機構を通して別の無線機の動作に干渉し得る。共存問題はそのような干渉を含む。
【０００７】
これは、産業科学医療用（ＩＳＭ：Industrial Scientific and Medical）バンドに隣接しており、このバンドとの干渉を生じ得るＬＴＥアップリンクチャネルについて特に当てはまる。ＢｌｕｅｔｏｏｔｈおよびいくつかのワイヤレスＬＡＮ（ＷＬＡＮ）チャネルがＩＳＭバンド内に入ることに留意されたい。いくつかの事例では、バンド７、さらにはバンド４０のいくつかのチャネル中でＬＴＥがアクティブであるとき、Ｂｌｕｅｔｏｏｔｈチャネル状態によっては、Ｂｌｕｅｔｏｏｔｈ誤り率が許容できなくなり得る。ＬＴＥに対する著しい劣化はないが、Ｂｌｕｅｔｏｏｔｈを用いた同時動作は、Ｂｌｕｅｔｏｏｔｈヘッドセットにおいて終端するボイスサービスの混乱を生じ得る。そのような混乱は消費者にとって許容できないものであり得る。ＬＴＥ送信がＧＰＳに干渉するとき、同様の問題が存在する。ＬＴＥ自体は劣化を受けないので、現在、この問題を解決することができる機構は存在しない。
【０００８】
特にＬＴＥに関して、ＵＥは、発展型ノードＢ（ｅノードＢ、たとえば、ワイヤレス通信ネットワーク用の基地局）と通信して、ダウンリンク上でＵＥが受けた干渉をそのｅノードＢに通知することに留意されたい。さらに、ｅノードＢは、ダウンリンク誤り率を使用してＵＥにおける干渉を推定することが可能であり得る。いくつかの事例では、ｅノードＢおよびＵＥは協働して、ＵＥにおける干渉、さらにはＵＥ自体の内部の無線機による干渉を低減するソリューションを発見することができる。しかしながら、従来のＬＴＥでは、ダウンリンクに関する干渉推定は、干渉に包括的に対処するためには十分でないことがある。
【０００９】
一例では、ＬＴＥアップリンク信号はＢｌｕｅｔｏｏｔｈ信号またはＷＬＡＮ信号に干渉する。しかしながら、そのような干渉は、ｅノードＢにおけるダウンリンク測定レポート中に反映されない。その結果、ＵＥの側の一方的なアクション（たとえば、アップリンク信号を異なるチャネルに移動すること）は、アップリンク共存問題に気づいていないｅノードＢによって阻止され得、ｅノードＢはその一方的なアクションを取り消そうと努める。たとえば、ＵＥが接続を異なる周波数チャネル上で再確立した場合でも、ネットワークは、ＵＥを、デバイス内干渉によって損なわれた元の周波数チャネルに依然としてハンドオーバし得る。損なわれたチャネル上の所望の信号強度は、時々、ｅノードＢに対する基準信号受信電力（ＲＳＲＰ：Reference Signal Received Power）に基づく新しいチャネルの測定レポート中で反映される信号強度よりも高くなり得るので、これは可能性があるシナリオである。したがって、ｅノードＢがハンドオーバ決定を行うためにＲＳＲＰレポートを使用する場合、損なわれたチャネルと所望のチャネルとの間で往復して転送されるピンポン現象（ping-pong effect）が発生し得る。
【００１０】
ｅノードＢの調整なしに単にアップリンク通信を停止することなど、ＵＥの側の他の一方的なアクションは、ｅノードＢにおける電力ループ機能不全を引き起こし得る。従来のＬＴＥにおいて存在するさらなる問題には、共存問題を有する構成の代替として所望の構成を提案するＵＥの側の能力の一般的な欠如がある。少なくともこれらの理由のために、ＵＥにおけるアップリンク共存問題は長い間未解決のまま残り、ＵＥの他の無線機の性能および効率を劣化させ得る。
【発明の概要】
【００１１】
ワイヤレス通信のための方法を提供する。本方法は、第１の無線アクセス技術（ＲＡＴ）のための（１つまたは複数の）潜在的ギャップパターン構成を判断することを含む。（１つまたは複数の）ギャップパターン構成は、第１のＲＡＴの（１つまたは複数の）スケジューリングタイムライン制約を満たす。本方法はまた、第１のＲＡＴと第２のＲＡＴとの間の競合を低減する（１つまたは複数の）潜在的ギャップパターン構成を選択することを含む。
【００１２】
ワイヤレス通信のための装置を提供する。本装置は、第１の無線アクセス技術（ＲＡＴ）のための（１つまたは複数の）潜在的ギャップパターン構成を判断するための手段を含む。（１つまたは複数の）ギャップパターン構成は、第１のＲＡＴの（１つまたは複数の）スケジューリングタイムライン制約を満たす。本装置はまた、第１のＲＡＴと第２のＲＡＴとの間の競合を低減する（１つまたは複数の）潜在的ギャップパターン構成を選択するための手段を含む。
【００１３】
ワイヤレス通信のためのコンピュータプログラム製品を提供する。本コンピュータプログラム製品は、プログラムコードを記録した非一時的コンピュータ可読媒体を含む。プログラムコードは、第１の無線アクセス技術（ＲＡＴ）のための（１つまたは複数の）潜在的ギャップパターン構成を判断するためのプログラムコードを含む。（１つまたは複数の）ギャップパターン構成は、第１のＲＡＴの（１つまたは複数の）スケジューリングタイムライン制約を満たす。プログラムコードはまた、第１のＲＡＴと第２のＲＡＴとの間の競合を低減する（１つまたは複数の）潜在的ギャップパターン構成を選択するためのプログラムコードを含む。
【００１４】
ワイヤレス通信のための装置を提供する。本装置は、メモリとメモリに接続された（１つまたは複数の）プロセッサとを含む。（１つまたは複数の）プロセッサは、第１の無線アクセス技術（ＲＡＴ）のための（１つまたは複数の）潜在的ギャップパターン構成を判断するように構成される。（１つまたは複数の）ギャップパターン構成は、第１のＲＡＴの（１つまたは複数の）スケジューリングタイムライン制約を満たす。（１つまたは複数の）プロセッサはまた、第１のＲＡＴと第２のＲＡＴとの間の競合を低減する（１つまたは複数の）潜在的ギャップパターン構成を選択するように構成される。
【００１５】
本開示の追加の特徴および利点については以下で説明する。本開示は、本開示の同じ目的を実行するための他の構造を変更または設計するための基礎として容易に利用され得ることを、当業者は理解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で提供され、本開示の範囲を定めるものではないことを明白に理解されたい。
【図面の簡単な説明】
【００１６】
本開示の特徴、特性、および利点は、全体を通じて同様の参照符号が同様のものを指す図面とともに、以下に記載する発明を実施するための形態を読めばより明らかになろう。
【図１】一態様による多元接続ワイヤレス通信システムを示す図。
【図２】一態様による通信システムのブロック図。
【図３】ダウンリンクＬｏｎｇ  Ｔｅｒｍ  Ｅｖｏｌｕｔｉｏｎ（ＬＴＥ）通信における例示的なフレーム構造を示す図。
【図４】アップリンクＬｏｎｇ  Ｔｅｒｍ  Ｅｖｏｌｕｔｉｏｎ（ＬＴＥ）通信における例示的なフレーム構造を概念的に示すブロック図。
【図５】例示的なワイヤレス通信環境を示す図。
【図６】複数無線ワイヤレスデバイスのための例示的な設計のブロック図。
【図７】所与の決定期間における７つの例示的な無線機間のそれぞれの潜在的な衝突を示すグラフ。
【図８】時間的な例示的な共存マネージャ（ＣｘＭ：Coexistence Manager）の動作を示す図。
【図９】隣接する周波数帯域を示すブロック図。
【図１０】本開示の一態様による、複数無線機共存管理のためのワイヤレス通信環境内でのサポートを行うためのシステムのブロック図。
【図１１】共存マネージャを用いないＬＴＥバンド４０通信およびＢｌｕｅｔｏｏｔｈ通信に対する干渉をタイムライン上に示す図。
【図１２】本開示の一態様によるＬＴＥフィルタリングを示す図。
【図１３】本開示の一態様によるＬＴＥフィルタリングを示す図。
【図１４】本開示の一態様によるＬＴＥフィルタリングを示す図。
【図１５】本開示の一態様によるＬＴＥフィルタリングを示す図。
【図１６】本開示の一態様によるＬＴＥフィルタリングを示す図。
【図１７】本開示の一態様によるＬＴＥフィルタリングを示す図。
【図１８Ａ】本開示の一態様による、ＴＤＤ構成０のためのＨＡＲＱプロセス選択を示す図。
【図１８Ｂ】本開示の一態様による、ＴＤＤ構成１のためのＨＡＲＱプロセス選択を示す図。
【図１８Ｃ】本開示の一態様による、ＴＤＤ構成２のためのＨＡＲＱプロセス選択を示す図。
【図１８Ｄ】本開示の一態様による、ＴＤＤ構成３のためのＨＡＲＱプロセス選択を示す図。
【図１８Ｅ】本開示の一態様による、ＴＤＤ構成４のためのＨＡＲＱプロセス選択を示す図。
【図１８Ｆ】本開示の一態様による、ＴＤＤ構成５のためのＨＡＲＱプロセス選択を示す図。
【図１９】本開示の一態様による、ＴＤＤ構成１のためのＨＡＲＱプロセス選択を示す図。
【図２０】本開示の一態様による、ＴＤＤ構成１のためのＨＡＲＱプロセス選択を示す図。
【図２１】本開示の一態様による、ＴＤＤ構成１のためのＨＡＲＱプロセス選択を示す図。
【図２２】本開示の一態様による、ギャップパターン選択を示すブロック図。
【図２３】本開示の一態様による、ギャップパターン選択のための構成要素を示すブロック図。
【発明を実施するための形態】
【００１７】
本開示の様々な態様は、たとえば、ＬＴＥバンドと（たとえば、ＢＴ／ＷＬＡＮ用の）産業科学医療用（ＩＳＭ）バンドとの間に重大なデバイス内共存問題が存在し得る、複数無線デバイス中の共存問題を緩和するための技法を提供する。上記で説明したように、ｅノードＢは、他の無線機が受けるＵＥ側上の干渉に気づいていないので、いくつかの共存問題が残存する。一態様によれば、現在のチャネル上に共存問題がある場合、ＵＥは、無線リンク障害（ＲＬＦ：Radio Link Failure）を宣言し、新しいチャネルまたは無線アクセス技術（ＲＡＴ）に自律的にアクセスする。ＵＥは、いくつかの例では、１）ＵＥ受信が共存による干渉によって影響を及ぼされるという理由と、２）ＵＥ送信機が別の無線機に破壊的な干渉を生じているという理由とのためにＲＬＦを宣言することができる。ＵＥは、次いで、新しいチャネルまたはＲＡＴにおいて接続を再確立する間にｅノードＢに共存問題を示すメッセージを送る。ｅノードＢは、メッセージを受信したことによって共存問題に気づく。
【００１８】
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークに対して使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、Ｗｉｄｅｂａｎｄ−ＣＤＭＡ（Ｗ−ＣＤＭＡ）および低チップレート（ＬＣＲ：Low Chip Rate）を含む。ｃｄｍａ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装することができる。ＵＴＲＡ、Ｅ−ＵＴＲＡおよびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「３rd  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００は、「３rd  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格が当技術分野で知られている。明快のために、本技法のいくつかの態様について以下ではＬＴＥに関して説明し、以下の説明の部分でＬＴＥ用語を使用する。
【００１９】
シングルキャリア変調および周波数領域等化を利用するシングルキャリア周波数分割多元接続（ＳＣ−ＦＤＭＡ）は、本明細書で説明する様々な態様とともに利用され得る技法である。ＳＣ−ＦＤＭＡは、ＯＦＤＭＡシステムと同様の性能および本質的に同じ全体的な複雑さを有する。ＳＣ−ＦＤＭＡ信号は、それの固有のシングルキャリア構造のために、より低いピーク対平均電力比（ＰＡＰＲ：peak-to-average power ratio）を有する。ＳＣ−ＦＤＭＡは、特に、より低いＰＡＰＲが送信電力効率の点でモバイル端末に多大な利益を与えるアップリンク通信において、大きい注目を引いている。それは現在、３ＧＰＰ  Ｌｏｎｇ  Ｔｅｒｍ  Ｅｖｏｌｕｔｉｏｎ（ＬＴＥ）、またはＥｖｏｌｖｅｄ  ＵＴＲＡにおけるアップリンク多元接続方式に関する実用的な前提である。
【００２０】
図１を参照すると、一態様による多元接続ワイヤレス通信システムが示されている。発展型ノードＢ１００（ｅノードＢ）は、リソースおよびパラメータを割り振ること、ユーザ機器からの要求を許可／拒否することなどによってＬＴＥ通信を管理するための処理リソースとメモリリソースとを有するコンピュータ１１５を含む。ｅノードＢ１００はまた複数のアンテナグループを有し、あるグループはアンテナ１０４とアンテナ１０６とを含み、別のグループはアンテナ１０８とアンテナ１１０とを含み、追加のグループはアンテナ１１２とアンテナ１１４とを含む。図１では、アンテナグループごとに２つのアンテナのみが示されているが、アンテナグループごとにより多いまたはより少ないアンテナが利用され得る。ユーザ機器（ＵＥ）１１６（アクセス端末（ＡＴ）とも呼ばれる）がアンテナ１１２および１１４と通信している間、アンテナ１１２および１１４は、アップリンク（ＵＬ）１８８を介してＵＥ１１６に情報を送信する。ＵＥ１２２がアンテナ１０６および１０８と通信している間、アンテナ１０６および１０８は、ダウンリンク（ＤＬ）１２６を介してＵＥ１２２に情報を送信し、アップリンク１２４を介してＵＥ１２２から情報を受信する。周波数分割複信（ＦＤＤ）システムでは、通信リンク１１８、１２０、１２４および１２６は、通信のための異なる周波数を使用することができる。たとえば、ダウンリンク１２０は、アップリンク１１８によって使用される周波数とは異なる周波数を使用することができる。
【００２１】
アンテナの各グループ、および／またはアンテナが通信するように設計されたエリアは、しばしば、ｅノードＢのセクタと呼ばれる。この態様では、それぞれのアンテナグループは、ｅノードＢ１００によってカバーされるエリアのセクタ中のＵＥに通信するように設計される。
【００２２】
ダウンリンク１２０および１２６を介した通信では、ｅノードＢ１００の送信アンテナは、異なるＵＥ１１６および１２２に対してアップリンクの信号対雑音比を改善するためにビームフォーミングを利用する。また、ｅノードＢが、ビームフォーミングを使用して、それのカバレージにおいてランダムに分散されたＵＥに送信するほうが、ＵＥが単一のアンテナを介してすべてのそれのＵＥに送信するよりも、隣接セル中のＵＥへの干渉が小さくなる。
【００２３】
ｅノードＢは、端末と通信するために使用される固定局であり得、アクセスポイント、基地局、または何らかの他の用語で呼ばれることもある。ＵＥは、アクセス端末、ワイヤレス通信デバイス、端末、または何らかの他の用語で呼ばれることもある。
【００２４】
図２は、ＭＩＭＯシステム２００における送信機システム２１０（ｅノードＢとしても知られる）および受信機システム２５０（ＵＥとしても知られる）の一態様のブロック図である。いくつかの事例では、ＵＥとｅノードＢの両方が、送信機システムと受信機システムとを含むトランシーバをそれぞれ有する。送信機システム２１０において、いくつかのデータストリームのトラフィックデータがデータソース２１２から送信（ＴＸ）データプロセッサ２１４に与えられる。
【００２５】
ＭＩＭＯシステムは、データ送信のために複数の（ＮT）送信アンテナと複数の（ＮR）受信アンテナとを採用する。ＮT個の送信アンテナとＮR個の受信アンテナとによって形成されるＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善された性能（たとえば、より高いスループットおよび／またはより大きい信頼性）を与えることができる。
【００２６】
ＭＩＭＯシステムは時分割複信（ＴＤＤ）および周波数分割複信（ＦＤＤ）システムをサポートする。ＴＤＤシステムでは、アップリンクおよびダウンリンク送信が同じ周波数領域上で行われるので、相反定理によるアップリンクチャネルからのダウンリンクチャネルの推定が可能である。これにより、ｅノードＢにおいて複数のアンテナが利用可能であるとき、ｅノードＢはダウンリンク上で送信ビームフォーミング利得を抽出することが可能になる。
【００２７】
一態様では、各データストリームは、それぞれの送信アンテナを介して送信される。ＴＸデータプロセッサ２１４は、データストリーム用に選択された特定のコーディング方式に基づいて、そのデータストリームごとにトラフィックデータをフォーマットし、コーディングし、インターリーブして、コード化データを与える。
【００２８】
各データストリームのコード化データは、ＯＦＤＭ技法を使用してパイロットデータで多重化され得る。パイロットデータは、知られている方法で処理され、チャネル応答を推定するために受信機システムにおいて使用され、知られているデータパターンである。次いで、各データストリームの多重化されたパイロットデータおよびコード化データは、そのデータストリーム用に選択された特定の変調方式（たとえば、ＢＰＳＫ、ＱＰＳＫ、Ｍ−ＰＳＫ、またはＭ−ＱＡＭ）に基づいて変調（たとえば、シンボルマッピング）されて、変調シンボルを与える。各データストリームのデータレート、コーディング、および変調は、メモリ２３２とともに動作するプロセッサ２３０によって実行される命令によって判断され得る。
【００２９】
次いで、それぞれのデータストリームの変調シンボルはＴＸ  ＭＩＭＯプロセッサ２２０に与えられ、ＴＸ  ＭＩＭＯプロセッサ２２０はさらに（たとえば、ＯＦＤＭ用に）その変調シンボルを処理することができる。次いで、ＴＸ  ＭＩＭＯプロセッサ２２０はＮT個の変調シンボルストリームをＮT個の送信機（ＴＭＴＲ）２２２ａ〜２２２ｔに与える。いくつかの態様では、ＴＸ  ＭＩＭＯプロセッサ２２０は、データストリームのシンボルと、シンボルの送信元のアンテナとにビームフォーミング重みを適用する。
【００３０】
各送信機２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、送信機２２２ａ〜２２２ｔからのＮT個の被変調信号が、それぞれＮT個のアンテナ２２４ａ〜２２４ｔから送信される。
【００３１】
受信機システム２５０では、送信された被変調信号は、ＮR個のアンテナ２５２ａ〜２５２ｒによって受信され、各アンテナ２５２からの受信信号は、それぞれの受信機（ＲＣＶＲ）２５４ａ〜２５４ｒに与えられる。各受信機２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００３２】
次いで、ＲＸデータプロセッサ２６０は、ＮR個の受信機２５４からＮR個の受信シンボルストリームを受信し、特定の受信機処理技法に基づいて処理して、ＮR個の「検出」シンボルストリームを与える。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理と相補的なものである。
【００３３】
（メモリ２７２とともに動作する）プロセッサ２７０は、どのプリコーディング行列を使用すべきかを周期的に判断する（後述）。プロセッサ２７０は、行列インデックス部分とランク値部分とを有するアップリンクメッセージを作成する。
【００３４】
アップリンクメッセージは、通信リンクおよび／または受信データストリームに関する様々なタイプの情報を含むことができる。次いで、アップリンクリンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に返信される。
【００３５】
送信機システム２１０において、受信機システム２５０からの被変調信号は、アンテナ２２４によって受信され、受信機２２２によって調整され、復調器２４０によって復調され、ＲＸデータプロセッサ２４２によって処理されて、受信機システム２５０によって送信されたアップリンクメッセージを抽出する。次いで、プロセッサ２３０は、ビームフォーミング重みを判断するためにどのプリコーディング行列を使用すべきかを判断し、次いで、抽出されたメッセージを処理する。
【００３６】
図３は、ダウンリンクＬｏｎｇ  Ｔｅｒｍ  Ｅｖｏｌｕｔｉｏｎ（ＬＴＥ）通信における例示的なフレーム構造を概念的に示すブロック図である。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０から１９のインデックスをもつ２０個のスロットを含み得る。各スロットは、Ｌ個のシンボル期間、たとえば、（図３に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３７】
ＬＴＥでは、ｅノードＢは、ｅノードＢ中の各セルについてプライマリ同期信号（ＰＳＳ：Primary Synchronization Signal）とセカンダリ同期信号（ＳＳＳ：Secondary Synchronization Signal）とを送り得る。ＰＳＳおよびＳＳＳは、図３に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３８】
ｅノードＢは、ｅノードＢ中の各セルについてセル固有基準信号（ＣＲＳ：Cell-specific Reference Signal）を送り得る。ＣＲＳは、ノーマルサイクリックプレフィックスの場合は各スロットのシンボル０、１、および４中で送られ得、拡張サイクリックプレフィックスの場合は各スロットのシンボル０、１、および３中で送られ得る。ＣＲＳは、物理チャネルのコヒーレント復調、タイミングおよび周波数追跡、無線リンクモニタ（ＲＬＭ：Radio Link Monitoring）、基準信号受信電力（ＲＳＲＰ）、および基準信号受信品質（ＲＳＲＱ：Reference Signal Received Quality）測定などのためにＵＥによって使用され得る。
【００３９】
ｅノードＢは、図３に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば１０個未満のリソースブロックをもつ小さいシステム帯域幅の場合は４に等しくなり得る。図３に示す例では、Ｍ＝３である。ｅノードＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。また、図３に示す例では、ＰＤＣＣＨおよびＰＨＩＣＨは最初の３つのシンボル期間中に含まれている。ＰＨＩＣＨは、ハイブリッド自動再送要求（ＨＡＲＱ：Hybrid Automatic Repeat Request）をサポートするための情報を搬送し得る。ＰＤＣＣＨは、ＵＥのためのリソース割振りに関する情報と、ダウンリンクチャネルのための制御情報とを搬送し得る。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４０】
ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００４１】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間中に周波数上に拡散され得る３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して許可され得る。
【００４２】
ＵＥは、ＰＨＩＣＨおよびＰＣＦＩＣＨのために使用される特定のＲＥＧを知り得る。ＵＥは、ＰＤＣＣＨのためのＲＥＧの異なる組合せを探索し得る。探索すべき組合せの数は、一般に、ＰＤＣＣＨに対して許可される組合せの数よりも少ない。ｅノードＢは、ＵＥが探索することになる組合せのいずれかにおいてＵＥにＰＤＣＣＨを送り得る。
【００４３】
図４は、アップリンクＬｏｎｇ  Ｔｅｒｍ  Ｅｖｏｌｕｔｉｏｎ（ＬＴＥ）通信における例示的なフレーム構造を概念的に示すブロック図である。アップリンクのために利用可能なリソースブロック（ＲＢ：resource block）は、データセクションと制御セクションとに区分され得る。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。図４の設計は、データセクション中の連続するサブキャリアのすべてを単一のＵＥに割り当てることを可能にし得る連続サブキャリアを含むデータセクションを生じる。
【００４４】
ＵＥには、ｅノードＢに制御情報を送信するために制御セクション中のリソースブロックが割り当てられ得る。ＵＥには、ｅノードＢにデータを送信するためにデータセクション中のリソースブロックも割り当てられ得る。ＵＥは、制御セクション中の割り当てられたリソースブロック上の物理アップリンク制御チャネル（ＰＵＣＣＨ）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図４に示すように周波数上でホッピングし得る。
【００４５】
ＬＴＥにおけるＰＳＳ、ＳＳＳ、ＣＲＳ、ＰＢＣＨ、ＰＵＣＣＨおよびＰＵＳＣＨは、公開されている「Evolved Universal Terrestrial Radio Access (E-UTRA); Physical Channels and Modulation」と題する３ＧＰＰ  ＴＳ  ３６．２１１に記載されている。
【００４６】
一態様では、本明細書では、複数無線機共存ソリューションを可能にするために、３ＧＰＰ  ＬＴＥ環境などのワイヤレス通信環境内でサポートを行うためのシステムおよび方法が説明される。
【００４７】
次に図５を参照すると、本明細書で説明する様々な態様が機能することができる例示的なワイヤレス通信環境５００が示されている。ワイヤレス通信環境５００は、複数の通信システムと通信することが可能であり得るワイヤレスデバイス５１０を含むことができる。これらのシステムは、たとえば、１つまたは複数のセルラーシステム５２０および／または５３０、１つまたは複数のＷＬＡＮシステム５４０および／または５５０、１つまたは複数のワイヤレスパーソナルエリアネットワーク（ＷＰＡＮ）システム５６０、１つまたは複数のブロードキャストシステム５７０、１つまたは複数の衛星測位システム５８０、図５に示されていない他のシステム、あるいはそれらの任意の組合せを含むことができる。以下の説明では、「ネットワーク」および「システム」という用語がしばしば互換的に使用されることを諒解されたい。
【００４８】
セルラーシステム５２０および５３０はそれぞれ、ＣＤＭＡ、ＴＤＭＡ、ＦＤＭＡ、ＯＦＤＭＡ、シングルキャリアＦＤＭＡ（ＳＣ−ＦＤＭＡ）、または他の好適なシステムであり得る。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装することができる。ＵＴＲＡは、広帯域ＣＤＭＡ（ＷＣＤＭＡ（登録商標））およびＣＤＭＡの他の変形態を含む。その上、ｃｄｍａ２０００は、ＩＳ−２０００（ＣＤＭＡ２０００  １Ｘ）、ＩＳ−９５およびＩＳ−８５６（ＨＲＰＤ）規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）、Ｄｉｇｉｔａｌ  Ａｄｖａｎｃｅｄ  Ｍｏｂｉｌｅ  Ｐｈｏｎｅ  Ｓｙｓｔｅｍ（Ｄ−ＡＭＰＳ）などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３rd  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３rd  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。一態様では、セルラーシステム５２０は、カバレージ内のワイヤレスデバイスのための双方向通信をサポートすることができるいくつかの基地局５２２を含むことができる。同様に、セルラーシステム５３０は、カバレージ内のワイヤレスデバイスのための双方向通信をサポートすることができるいくつかの基地局５３２を含むことができる。
【００４９】
ＷＬＡＮシステム５４０および５５０はそれぞれ、ＩＥＥＥ８０２．１１（ＷｉＦｉ）、Ｈｉｐｅｒｌａｎなどの無線技術を実装することができる。ＷＬＡＮシステム５４０は、双方向通信をサポートすることができる１つまたは複数のアクセスポイント５４２を含むことができる。同様に、ＷＬＡＮシステム５５０は、双方向通信をサポートすることができる１つまたは複数のアクセスポイント５５２を含むことができる。ＷＰＡＮシステム５６０は、Ｂｌｕｅｔｏｏｔｈ（ＢＴ）、ＩＥＥＥ８０２．１５などの無線技術を実装することができる。さらに、ＷＰＡＮシステム５６０は、ワイヤレスデバイス５１０、ヘッドセット５６２、コンピュータ５６４、マウス５６６など、様々なデバイスのための双方向通信をサポートすることができる。
【００５０】
ブロードキャストシステム５７０は、テレビジョン（ＴＶ）ブロードキャストシステム、周波数変調（ＦＭ）ブロードキャストシステム、デジタルブロードキャストシステムなどであり得る。デジタルブロードキャストシステムは、ＭｅｄｉａＦＬＯ（商標）、Ｄｉｇｉｔａｌ  Ｖｉｄｅｏ  Ｂｒｏａｄｃａｓｔｉｎｇ  ｆｏｒ  Ｈａｎｄｈｅｌｄｓ（ＤＶＢ−Ｈ）、Ｉｎｔｅｇｒａｔｅｄ  Ｓｅｒｖｉｃｅｓ  Ｄｉｇｉｔａｌ  Ｂｒｏａｄｃａｓｔｉｎｇ  ｆｏｒ  Ｔｅｒｒｅｓｔｒｉａｌ  Ｔｅｌｅｖｉｓｉｏｎ  Ｂｒｏａｄｃａｓｔｉｎｇ（ＩＳＤＢ−Ｔ）などの無線技術を実装することができる。さらに、ブロードキャストシステム５７０は、一方向通信をサポートすることができる１つまたは複数のブロードキャスト局５７２を含むことができる。
【００５１】
衛星測位システム５８０は、米国の全地球測位システム（ＧＰＳ）、欧州のＧａｌｉｌｅｏシステム、ロシアのＧＬＯＮＡＳＳシステム、日本のＱｕａｓｉ−Ｚｅｎｉｔｈ  Ｓａｔｅｌｌｉｔｅ  Ｓｙｓｔｅｍ（ＱＺＳＳ）、インドのＩｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ（ＩＲＮＳＳ）、中国のＢｅｉｄｏｕシステム、および／または任意の他の好適なシステムであり得る。さらに、衛星測位システム５８０は、位置判断用の信号を送信するいくつかの衛星５８２を含むことができる。
【００５２】
一態様では、ワイヤレスデバイス５１０は、固定でも移動でもあり得、ユーザ機器（ＵＥ）、移動局、モバイル機器、端末、アクセス端末、加入者ユニット、局などと呼ばれることもある。ワイヤレスデバイス５１０は、セルラーフォン、携帯情報端末（ＰＤＡ）、ワイヤレスモデム、ハンドヘルドデバイス、ラップトップコンピュータ、コードレスフォン、ワイヤレスローカルループ（ＷＬＬ：wireless local loop）局などであり得る。さらに、ワイヤレスデバイス５１０は、セルラーシステム５２０および／または５３０、ＷＬＡＮシステム５４０および／または５５０、ＷＰＡＮシステム５６０をもつデバイス、および／または任意の他の好適な（１つまたは複数の）システムおよび／または（１つまたは複数の）デバイスとの双方向通信に関与することができる。ワイヤレスデバイス５１０は、追加または代替として、ブロードキャストシステム５７０および／または衛星測位システム５８０から信号を受信することができる。概して、ワイヤレスデバイス５１０は、所与の瞬間において任意の数のシステムと通信することができることが諒解できよう。また、ワイヤレスデバイス５１０は、同時に動作するそれの構成無線デバイスの様々な構成無線デバイスの間の共存問題に遭遇し得る。したがって、デバイス５１０は、以下でさらに説明するように、共存問題を検出し、緩和するための機能モジュールを有する共存マネージャ（ＣｘＭ、図示せず）を含む。
【００５３】
次に図６を参照すると、図５の無線機５１０の実装形態として使用され得る、複数無線ワイヤレスデバイス６００の例示的な設計を示すブロック図が与えられている。図６が示すように、ワイヤレスデバイス６００は、それぞれＮ個のアンテナ６１０ａ〜６１０ｎに接続され得るＮ個の無線機６２０ａ〜６２０ｎを含むことができ、ここで、Ｎは任意の整数値であり得る。ただし、それぞれの無線機６２０は任意の数のアンテナ６１０に接続され得、複数の無線機６２０は所与のアンテナ６１０を共有することもできることを諒解されたい。
【００５４】
概して、無線機６２０は、電磁スペクトルのエネルギーを放射または放出するか、電磁スペクトルのエネルギーを受け取るか、あるいは伝導性手段を介して伝搬するエネルギーを発生するユニットであり得る。例として、無線機６２０は、システムまたはデバイスに信号を送信するユニット、あるいはシステムまたはデバイスから信号を受信するユニットであり得る。したがって、無線機６２０は、ワイヤレス通信をサポートするために利用され得ることが諒解できよう。別の例では、無線機６２０はまた、他の無線機の性能に影響を及ぼし得る雑音を放出するユニット（たとえば、コンピュータ上のスクリーン、回路板など）であり得る。したがって、さらに、無線機６２０は、ワイヤレス通信をサポートすることなしに雑音および干渉を放出するユニットでもあり得ることが諒解できよう。
【００５５】
一態様では、それぞれの無線機６２０は、１つまたは複数のシステムとの通信をサポートすることができる。複数の無線機６２０は、追加または代替として、所与のシステムが、たとえば、異なる周波数帯域（たとえば、セルラー帯域およびＰＣＳ帯域）上で送信または受信するために使用され得る。
【００５６】
別の態様では、デジタルプロセッサ６３０が、無線機６２０ａ〜６２０ｎに接続され得、無線機６２０を介して送信または受信されるデータの処理など、様々な機能を実行することができる。各無線機６２０の処理は、その無線機によってサポートされる無線技術に依存し得、送信機の場合は暗号化、符号化、変調などを含み、受信機の場合は復調、復号、解読などを含むことなどができる。一例では、デジタルプロセッサ６３０は、本明細書で概して説明するように、ワイヤレスデバイス６００の性能を改善するために無線機６２０の動作を制御することができる共存マネージャ（ＣｘＭ）６４０を含むことができる。ＣｘＭ６４０は、無線機６２０の動作を制御するために使用される情報を記憶することができるデータベース６４４にアクセスすることができる。以下でさらに説明するように、ＣｘＭ６４０は、無線機間の干渉を減少させるための様々な技法に対して適応され得る。一例では、ＣｘＭ６４０は、ＩＳＭ無線機がＬＴＥ非アクティビティ期間中に通信することを可能にする測定ギャップパターンまたはＤＲＸサイクルを要求する。
【００５７】
簡単のために、デジタルプロセッサ６３０は、図６ではシングルプロセッサとして示されている。しかしながら、デジタルプロセッサ６３０は、任意の数のプロセッサ、コントローラ、メモリなどを含むことができることを諒解されたい。一例では、コントローラ／プロセッサ６５０は、ワイヤレスデバイス６００内の様々なユニットの演算を指示することができる。追加または代替として、メモリ６５２が、ワイヤレスデバイス６００のためのプログラムコードおよびデータを記憶することができる。デジタルプロセッサ６３０、コントローラ／プロセッサ６５０、およびメモリ６５２は、１つまたは複数の集積回路（ＩＣ）、特定用途向け集積回路（ＡＳＩＣ）などの上で実装され得る。特定の非限定的な例として、デジタルプロセッサ６３０は、移動局モデム（ＭＳＭ：Mobile Station Modem）ＡＳＩＣ上で実装され得る。
【００５８】
一態様では、ＣｘＭ６４０は、それぞれの無線機６２０間の衝突に関連する干渉および／または他の性能劣化を回避するために、ワイヤレスデバイス６００によって利用されるそれぞれの無線機６２０の動作を管理することができる。ＣｘＭ６４０は、図２２に示すプロセスなど、１つまたは複数のプロセスを実行し得る。さらなる例として、図７のグラフ７００に、所与の決定期間における７つの例示的な無線機間のそれぞれの潜在的な衝突を表す。グラフ７００に示す例では、７つの無線機は、ＷＬＡＮ送信機（Ｔｗ）と、ＬＴＥ送信機（Ｔｌ）と、ＦＭ送信機（Ｔｆ）と、ＧＳＭ／ＷＣＤＭＡ送信機（Ｔｃ／Ｔｗ）と、ＬＴＥ受信機（Ｒｌ）と、Ｂｌｕｅｔｏｏｔｈ受信機（Ｒｂ）と、ＧＰＳ受信機（Ｒｇ）とを含む。４つの送信機は、グラフ７００の左側にある４つのノードによって表されている。４つの受信機は、グラフ７００の右側にある３つのノードによって表されている。
【００５９】
送信機と受信機との間の潜在的な衝突は、送信機のノードと受信機のノードとを接続しているブランチによってグラフ７００上に表されている。したがって、グラフ７００に示す例では、衝突は、（１）ＷＬＡＮ送信機（Ｔｗ）とＢｌｕｅｔｏｏｔｈ受信機（Ｒｂ）との間、（２）ＬＴＥ送信機（Ｔｌ）とＢｌｕｅｔｏｏｔｈ受信機（Ｒｂ）との間、（３）ＷＬＡＮ送信機（Ｔｗ）とＬＴＥ受信機（Ｒｌ）との間、（４）ＦＭ送信機（Ｔｆ）とＧＰＳ受信機（Ｒｇ）との間、（５）ＷＬＡＮ送信機（Ｔｗ）とＧＳＭ／ＷＣＤＭＡ送信機（Ｔｃ／Ｔｗ）とＧＰＳ受信機（Ｒｇ）との間に存在し得る。
【００６０】
一態様では、例示的なＣｘＭ６４０は、図８の図８００によって示す方法などの方法で時間的に動作することができる。図８００が示すように、ＣｘＭ動作のタイムラインは、任意の好適な一様または非一様な長さ（たとえば、１００μｓ）であり得る決定ユニット（ＤＵ：Decision Unit）に分割され得、ＤＵでは、通知が処理され、応答段階（たとえば、２０μｓ）では、評価段階中に取られたアクションに基づいて、コマンドが様々な無線機６２０に与えられ、および／または他の動作が実行される。一例では、図８００に示すタイムラインは、タイムラインのワーストケース動作によって定義されたレイテンシパラメータを有することができ、たとえば、所与のＤＵ中の通知段階の終了の直後に所与の無線機から通知が取得された場合における応答のタイミングを有することができる。
【００６１】
図９に示すように、Ｌｏｎｇ  Ｔｅｒｍ  Ｅｖｏｌｕｔｉｏｎ（ＬＴＥ）のバンド７（周波数分割複信（ＦＤＤ）アップリンク用）、バンド４０（時分割複信（ＴＤＤ）通信用）、およびバンド３８（ＴＤＤダウンリンク用）は、Ｂｌｕｅｔｏｏｔｈ（ＢＴ）技術およびワイヤレスローカルエリアネットワーク（ＷＬＡＮ）技術によって使用される２．４  ＧＨｚの産業科学医療用（ＩＳＭ）帯域と隣接している。これらのバンドのための周波数プランニングは、従来のフィルタリングソリューションが隣接する周波数における干渉を回避することを可能にするガードバンドが制限されるか、またはそれがないようなプランニングである。たとえば、ＩＳＭとバンド７との間に２０ＭＨｚのガードバンドが存在するが、ＩＳＭとバンド４０との間にガードバンドが存在しない。
【００６２】
適切な規格に準拠するために、特定の帯域を介して動作する通信デバイスは、指定された周波数範囲全体にわたって動作可能でなければならない。たとえば、ＬＴＥ準拠であるために、モバイル局／ユーザ機器は、３ｒｄ  Ｇｅｎｅｒａｔｉｏｎ  Ｐａｒｔｎｅｒｓｈｉｐ  Ｐｒｏｊｅｃｔ（３ＧＰＰ）によって定義されているように、バンド４０（２３００〜２４００ＭＨｚ）とバンド７（２５００〜２５７０ＭＨｚ）の両方の全体上で通信することができなければならない。十分なガードバンドがない場合、デバイスは、他の帯域に重複するフィルタを採用し、帯域干渉を生じる。バンド４０フィルタは、帯域全体をカバーするために１００ＭＨｚの幅があるので、それらのフィルタからのロールオーバがＩＳＭ帯域に入り込み、干渉を生じる。同様に、ＩＳＭ帯域（たとえば、２４０１〜約２４８０ＭＨｚ）の全体を使用するＩＳＭデバイスは、隣接するバンド４０およびバンド７にロールオーバするフィルタを採用することになり、干渉を生じ得る。
【００６３】
ＵＥに関して、たとえば、ＬＴＥ帯域と（たとえば、Ｂｌｕｅｔｏｏｔｈ／ＷＬＡＮ用の）ＩＳＭ帯域との間など、リソース間にデバイス内共存問題が存在し得る。現在のＬＴＥ実装形態では、ＬＴＥに対する干渉問題は、ＵＥによってレポートされるダウンリンク測定値（たとえば、基準信号受信品質（ＲＳＲＱ：Reference Signal Received Quality）メトリックなど）および／またはダウンリンク誤り率に反映され、ｅノードＢは、それらのダウンリンク測定値および／またはダウンリンク誤り率を使用して、たとえば、共存問題のないチャネルまたはＲＡＴにＬＴＥを移動させる周波数間またはＲＡＴ間ハンドオフ決定を行うことができる。しかしながら、たとえば、ＬＴＥアップリンクがＢｌｕｅｔｏｏｔｈ／ＷＬＡＮへの干渉を引き起こしているが、ＬＴＥダウンリンクがＢｌｕｅｔｏｏｔｈ／ＷＬＡＮからの干渉を経験しない場合、これらの既存の技法は機能しないことが諒解できよう。より詳細には、ＵＥがそれ自体をアップリンク上の別のチャネルに自律的に移動させる場合でも、ｅノードＢは、場合によっては、負荷分散の目的でＵＥを問題があるチャネルにハンドオーバし戻す可能性がある。いずれの場合も、既存の技法では、問題があるチャネルの帯域幅を最も効率的な方法で使用することが可能にならないことが諒解できよう。
【００６４】
次に図１０を参照すると、複数の無線機共存管理のためのワイヤレス通信環境内でサポートを行うためのシステム１０００のブロック図が示されている。一態様では、システム１０００は、アップリンクおよび／またはダウンリンク通信、ならびに／あるいは互いのおよび／またはシステム１０００中の他のエンティティとの任意の他の好適な通信に関与することができる、１つまたは複数のＵＥ１０１０および／またはｅノードＢ１０４０を含むことができる。一例では、ＵＥ１０１０および／またはｅノードＢ１０４０は、周波数チャネルおよびサブバンドを含む様々なリソースを使用して通信するように動作可能であり得、それらのリソースの一部は他の無線リソース（たとえば、ＬＴＥモデムなどのブロードバンド無線機）と潜在的に衝突し得る。したがって、ＵＥ１０１０は、本明細書で概して説明するように、ＵＥ１０１０によって利用される複数の無線機の間の共存を管理するための様々な技法を利用することができる。
【００６５】
少なくとも上記の短所を緩和するために、ＵＥ１０１０は、ＵＥ１０１０内の複数の無線機共存のためのサポートを可能にするための、本明細書で説明しシステム１０００によって図示する、それぞれの特徴を利用することができる。たとえば、チャネルモニタモジュール１０１２と、ギャップパターンモジュール１０１４と、タイムライン制約モジュール１０１６とが実装され得る。チャネルモニタモジュール１０１２は、潜在的な干渉問題について通信チャネルの性能をモニタする。ギャップパターンモジュール１０１４は、デバイス中の１つまたは複数の無線アクセス技術（ＲＡＴ）に適用されるべき潜在的ギャップパターンを判断し得る。タイムライン制約モジュール１０１６は、許可スケジューリングまたは信号肯定応答などのタイムライン制約が、以下で説明する方法を使用してどのように潜在的ギャップパターンと対話し得るのかを判断し得る。様々なモジュール１０１２〜１０１６は、いくつかの例では、図６のＣｘＭ６４０などの共存マネージャの一部として実装され得る。様々なモジュール１０１２〜１０１６などは、本明細書で説明する実施形態を実装するように構成され得る。
【００６６】
共存を改善するためのギャップパターン選択  
モバイル通信ユーザ機器（ＵＥ）では、Ｌｏｎｇ  Ｔｅｒｍ  Ｅｖｏｌｕｔｉｏｎ（ＬＴＥ）無線機（特に、バンド４０（２．３〜２．４ＧＨｚ）およびバンド７（２．５ＧＨｚ））と、産業科学医療用（ＩＳＭ）バンド通信（特に、Ｂｌｕｅｔｏｏｔｈおよびワイヤレスローカルエリアネットワーク（ＷＬＡＮ））のために使用される無線機との間に干渉問題があり得る。ＬＴＥとＢｌｕｅｔｏｏｔｈ（ＢＴ）とは互いに非同期であるので、干渉はさらに複雑になる。１つの５ミリ秒（ｍｓ）ＬＴＥフレームは、３ｍｓ長の受信／ダウンリンク（ＤＬ）サブフレームと２ｍｓ長の送信／アップリンク（ＵＬ）サブフレームとを含む。５ｍｓ中で、Ｂｌｕｅｔｏｏｔｈは８つのタイムスロットを有し、各スロットは、６２５マイクロ秒（μｓ）長であり、受信／ダウンリンク（ＤＬ）と送信／アップリンク（ＵＬ）とが交互に起こる。
【００６７】
一方の無線機が送信している間に他方の無線機が受信しようと試みていた場合、受信側に干渉が生じることになる。たとえば、図１１に、共存マネージャを用いないＬＴＥバンド４０（ＴＤＤ  ＬＴＥ（時分割複信ＬＴＥ）構成１）およびＢｌｕｅｔｏｏｔｈに対する干渉をタイムライン上に示す。図示のように、各ＬＴＥフレームは、２つの５ミリ秒ハーフフレームをもつ１０ミリ秒長である。（受信ダウンリンク（ＤＬ）タイムスロット１１０２としてグループ化して示されている）ダウンリンク受信の３つの１ｍｓタイムスロットと、（送信（Ｔｘ）アップリンク（ＵＬ）タイムスロット１１０４としてグループ化して示されている）アップリンク送信の２つの１ｍｓタイムスロットとをもつ５ｍｓハーフフレームが示されている。図示のように、（垂直矢印の間の）各Ｂｌｕｅｔｏｏｔｈ拡張同期コネクション指向（ｅＳＣＯ：enhanced synchronous connection oriented）間隔は、受信スロットから始まり、受信と送信とが交互に起こる（送信を影つきで示す）６つのタイムスロット（それぞれ６２５マイクロ秒長）からなる。ＬＴＥハーフフレームの長さ（５ｍｓ）とＢｌｕｅｔｏｏｔｈ間隔の長さ（３．７５ｍｓ）の結果として、ＬＴＥに対するｅＳＣＯオフセットのパターンは、１５ｍｓごと（または３つのＬＴＥハーフフレームごと）に繰り返すことになる。
【００６８】
図では、Ｂｌｕｅｔｏｏｔｈはスレーブモードになるように構成される。他のｅＳＣＯ構成およびＢｌｕｅｔｏｏｔｈトラフィックタイプが可能であり、本開示とともに使用され得る。
【００６９】
図１１のために、ＬＴＥが常に動作していると仮定する。各タイムスロット中で、チェックマーク（レ）は、Ｂｌｕｅｔｏｏｔｈが正常に動作しているときを示す。Ｘは干渉を示す。一方の無線機の（図１１に影つきタイムスロットとして示す）アクティブ送信時間スロットと他方の無線機の（図１１に影なしタイムスロットとして示す）受信タイムスロットとの間の重複が、Ｘで示される、タイムスロットへの干渉を生じることになる。図示のように、１つのアクティブＬＴＥ送信／受信タイムスロットは、複数のＢｌｕｅｔｏｏｔｈ受信／送信タイムスロットに干渉し得る。図１１に示すように、Ｂｌｕｅｔｏｏｔｈ送信タイムスロットの終端とＬＴＥ受信タイムスロットの始端との間に何らかの重複があり得る。これらの状況のいくつかでは、Ｂｌｕｅｔｏｏｔｈタイムスロット中のデータが最初の４５０μｓ中でのみ送信され得、残りの１７５μｓがギャップ期間であり得るので、Ｂｌｕｅｔｏｏｔｈの送信タイムスロットの終端がカットオフされたとしても、Ｂｌｕｅｔｏｏｔｈは依然として効果的に送信することが可能であり得る。したがって、送信タイムスロットの終端がカットオフされたとしても、Ｂｌｕｅｔｏｏｔｈ送信は潜在的に成功する。
【００７０】
２つの無線機のタイムスロットは同期されていないので、頻繁で予測不可能な干渉が生じ得る。ＬＴＥサブフレームの始端とＢｌｕｅｔｏｏｔｈ  ｅＳＣＯ間隔の始端との間の時間期間はオフセットと呼ばれる。各特定の干渉パターンは、ＬＴＥとＢｌｕｅｔｏｏｔｈとの間のオフセットに依存することになる。
【００７１】
一態様では、ＵＥは、拡張同期コネクション指向（ｅＳＣＯ）の最小許容性能が同期コネクション指向（ＳＣＯ）通信の最小許容性能であると仮定し得る。そうであるとは限らないが、その仮定はＬＴＥスループットの劣化の下限を与えることになり、したがって、Ｂｌｕｅｔｏｏｔｈが各ｅＳＣＯ間隔中で少なくとも１つの送信スロットと１つの受信スロットとが与えられることを保証しながらＬＴＥの劣化を低減する。各ｅＳＣＯ間隔が６つのタイムスロットと２つの再送信とを有する場合、ｅＳＣＯが１つのＴｘスロットと１つのＲｘスロットとのみで成功するために５つの方法がある（「Ｘ」は使用されないか、または拒否されたスロットを示し、ＲおよびＴは、Ｂｌｕｅｔｏｏｔｈスレーブのための受信および送信を示す）。
【数１】
0005714725.tif 000002
【００７２】
上記の構成は、いくつかのポーリングルールにより適用する。最初の２つのタイムスロットは、予約され、送信を可能にするが、さもなければ、Ｂｌｕｅｔｏｏｔｈがスレーブモードにある間、送信タイムスロットは受信タイムスロットの直後に続く。
【００７３】
共存干渉を低減または最小化する１つの方法は、Ｂｌｕｅｔｏｏｔｈ  ｅＳＣＯ動作を可能にし、ＬＴＥへのスループット影響を低減しながら相互干渉を回避するために、ＬＴＥとＢｌｕｅｔｏｏｔｈ動作との間で時分割多重（ＴＤＭ）アービトレーション方式を可能にすることである。
【００７４】
１つのＴＤＭオプションは、図１２に示すように、ＬＴＥの固定オンオフパターンを可能にすることである。３ｍｓ長の受信／ダウンリンク（ＤＬ）サブフレームと２ｍｓ長の送信／アップリンク（ＵＬ）サブフレームとをもつ、フィルタ処理されていないＬＴＥ送信方式を図１２０２に示す。図１２０４に、Ｔ＿ｏｎと呼ばれるある時間期間中にのみＬＴＥアクティビティを可能にし、Ｔ＿ｏｆｆと呼ばれる他の期間中にＬＴＥアクティビティをオフにするＬＴＥ送信に適用され得るフィルタを示す。次いで、効果的にフィルタ処理されたＬＴＥアクティビティを図１２０６に示し、図１２０６は、ＬＴＥアクティビティがＴ＿ｏｎと一致する期間中にのみ行われることを示す。Ｂｌｕｅｔｏｏｔｈ無線機は、次いで、ＬＴＥからの干渉のないアクティビティのためにＴ＿ｏｆｆ期間を利用し得る。
【００７５】
別の態様では、ＬＴＥがＢｌｕｅｔｏｏｔｈに干渉を生じないであろうとき、またはＢｌｕｅｔｏｏｔｈがその割り振られた時間を利用していないとき、ＬＴＥはＴ＿ｏｆｆ期間を便宜主義的に利用し得る。同様に、ＢｌｕｅｔｏｏｔｈがＬＴＥに干渉を生じないであろうとき、またはＬＴＥがその割り振られた時間を利用していないとき、ＢｌｕｅｔｏｏｔｈはＴ＿ｏｎ期間を便宜主義的に利用し得る。
【００７６】
別の態様では、Ｔ＿ｏｎ期間およびＴ＿ｏｆｆ期間のタイミングおよび長さは、ＬＴＥおよびＢｌｕｅｔｏｏｔｈ性能を改善または最適化するように、またはいくつかのサービス品質要件を満たすように選択され得る。一例では、Ｔ＿ｏｎおよびＴ＿ｏｆｆは２ｍｓに等しい。この長さにより、Ｂｌｕｅｔｏｏｔｈ  ｅＳＣＯパターンは、ある最低レベルの運用性を達成することが可能になる。Ｔ＿ｏｎの２ｍｓとＴ＿ｏｆｆの２ｍｓとの方式の欠点の１つは、それがＬＴＥ動作を５０％の時間遮断するということである。これは、ＬＴＥ動作に不要なスループットロスを生じ得る。
【００７７】
一態様では、Ｔ＿ｏｎおよびＴ＿ｏｆｆのギャップパターンのタイミングは、ＬＴＥ  ＴＤＤパターンと整合するように構成され得る。図１３に、ＬＴＥ  ＴＤＤ構成の特定のギャップパターンＤＤＤＵＵを示し、Ｄは、１ｍｓのダウンリンクサブフレームを示し、Ｕは、１ｍｓのアップリンクサブフレームを示す。図１３０２に、３ｍｓのダウンリンク（ＤＬ）の後に２ｍｓのアップリンク（ＤＬ）が続くＤＤＤＵＵパターンを使用するフィルタ処理されていないＬＴＥ信号を示す。図１３０２ではサブフレーム間の境界は破線によって示される。（注：サブフレームは正確に一定の縮尺で図示していない。）また、図１３に、６つのタイムスロットをもつＢｌｕｅｔｏｏｔｈ  ｅＳＣＯパターン１３０８を示す。図１３０４に示すギャップパターンでは、第３のＬＴＥダウンリンクサブフレームおよび第１のＬＴＥアップリンクフレーム（図１３０６）が、ＢＴが利用するためのギャップを作成するために使用される。そのようなギャップパターンは、５ｍｓごとにＬＴＥ動作中に２ｍｓのギャップを作成することになる。次いで、Ｂｌｕｅｔｏｏｔｈはそのギャップ中で動作し得る。そのようなギャップパターンにより、ＬＴＥフレームタイミングからの任意の位相オフセットをもつ任意のｅＳＣＯパターンは、上記で説明したｅＳＣＯ動作制約に従って少なくとも１つの成功した送信／受信ペアを有することが可能になる。図１３のギャップパターンは、ＬＴＥを４０％の時間しか停止しないので、改善されたＬＴＥ性能を提供し、したがって、図１２に示すギャップパターン上でＬＴＥスループットを改善する。図１３のギャップパターンはまた、ＬＴＥフレームタイミングからの任意のｅＳＣＯパターン位相オフセットに対して満足なｅＳＣＯ動作を可能にする。
【００７８】
別の態様では、ｅＳＣＯパターンとＬＴＥフレームタイミングとの間のオフセットが知られていた場合、ギャップパターンは、ＬＴＥがオフである時間を低減または最小化するように構成され得る。図１４に、ギャップパターンを作成するために第３のダウンリンクサブフレームのみがオフにされる１つのそのような構成を示す。（説明しやすいように、フィルタ処理されたＬＴＥ信号１４０２およびＢｌｕｅｔｏｏｔｈ信号１４０４のみを図１４に示す。）図１５に、ギャップパターンを作成するために第１のアップリンクサブフレームのみがオフにされる１つのそのような構成を示す。（説明しやすいように、フィルタ処理されたＬＴＥ信号１５０２およびＢｌｕｅｔｏｏｔｈ信号１５０４のみを図１５に示す。）図１４および図１５のギャップパターン構成は、ＬＴＥを２０％の時間（５ｍｓのフレームごとに１ｍｓ）のみをオフにし、したがって、ＬＴＥスループットロスの点で図１３を上回る改善を表す。
【００７９】
一態様では、以下の方法が所望のギャップ構成を判断するために実装され得る。ｘをＬＴＥフレームタイミングとＢｌｕｅｔｏｏｔｈ  ｅＳＣＯパターンとの間の位相オフセットとし、ｘは０〜５ｍｓの間にある。所与のＬＴＥフレームについて、Ｄｉはダウンリンク（ＤＬ）サブフレームｉを示し、ｉは、１、２、または３に等しくなり得、Ｕｊはアップリンク（ＵＬ）サブフレームｊを示し、ｊは、１または２に等しくなり得る。ＵＥは、ｅＳＣＯパターンとＬＴＥフレームタイミングとの間の位相オフセットｘを計算し得る。このオフセットｘは、特定の基準を満たすようにギャップパターンを特徴づけるために使用され得る。ＵＥは、このｘを使用してギャップを計算し、ｅＮＢスケジューラにギャップパターンを送信し得る。ＵＥは、代替的に、ギャップパターンを計算するであろうｅＮＢにｘを直接送信し得る。ＵＥは、ｘからギャップパターンを計算し、たとえば、バッファステータスレポートを通じて、チャネル品質インデックスレポートを通じて、またはギャップに属するＬＴＥアップリンク／ダウンリンクサブフレームを拒否することを通じて、ギャップパターンを作成するために他の技法を利用し得る。ＵＥは、特定のＢｌｕｅｔｏｏｔｈオフセットに対して満足なＢｌｕｅｔｏｏｔｈ動作を可能にし、ＬＴＥ性能への影響を低減または最小化するギャップ構成を判断し得る。
【００８０】
さらに、４つのＬＴＥハーフフレーム（２０ｍｓ）にわたるオフパターンは、Ａｉ、Ａｊ、Ａｋ、Ａｌとして定義され得、Ａ＝｛Ｄ，Ｕ｝であり、下付き文字は対応するサブフレームを示す。Ａ＝０の場合、このサブフレームの間、静穏化（quieting）しないこと（すなわち、ＬＴＥをシャットダウンしないこと）が望まれる。
【００８１】
（図１４に示すように）ギャップを作成するために第３のダウンリンクサブフレームのみを使用する（すなわち、Ｄ３、Ｄ３、Ｄ３、Ｄ３．．．を静穏化する）ことによって、実質的にすべてのｅＳＣＯ位相オフセットがサポートされる。したがって、位相オフセット（ｘ）が、約０．１２５〜１．３２５ｍｓの間、１．３７５〜２．５７５ｍｓの間、２．６２５〜３．８２５ｍｓの間、または３．８７５〜５．０７５ｍｓの間にある場合、図１４のギャップ構成により、上記で説明したｅＳＣＯ動作制約を考慮に入れた適切なＢｌｕｅｔｏｏｔｈ  ｅＳＣＯ動作が可能になる。ｅＳＣＯ位相オフセットの場合の残りの部分は、（図１５に示すように）第１のアップリンクフレームを静穏化すること（すなわち、Ｕ１、Ｕ１、Ｕ１、Ｕ１．．．を静穏化すること）によってサポートされる。したがって、位相オフセット（ｘ）が、約０〜０．２ｍｓの間、１．２５〜１．４５ｍｓの間、２．５〜２．７ｍｓの間、または３．７５〜３．９５ｍｓの間にある場合、図１５のギャップ構成により、上記で説明したｅＳＣＯ動作制約を考慮に入れた適切なＢｌｕｅｔｏｏｔｈ  ｅＳＣＯ動作が可能になる。したがって、図１４または図１５のギャップパターンは、ｅＳＣＯ位相オフセットｘに応じた適切なＢｌｕｅｔｏｏｔｈ動作を保証するように選定され得る。
【００８２】
他のギャップパターン構成も可能である。一態様によれば、中間ダウンリンクサブフレーム（第２のダウンリンクサブフレーム）は３つのＬＴＥハーフフレームの間静穏化され、第３のハーフフレーム中に第１のアップリンクサブフレームを静穏化することによって補われ得る。（Ｄ２、Ｄ２、Ｄ２Ｕ１、Ｄ２．．．の静穏化パターンを生じる。）このギャップパターンは、２つのハーフフレームに１ｍｓのギャップを作成し、２ｍｓのギャップをもつハーフフレームが続くことになる。このギャップパターンの例を図１６に示す。このギャップパターンにより、可能なｅＳＣＯオフセットの４０％に対して適切なＢｌｕｅｔｏｏｔｈ動作が可能になる。
【００８３】
別の構成は、あらゆるＬＴＥフレームにおいて第２のダウンリンクサブフレームと第１のアップリンクサブフレームとを静穏化し、Ｄ２Ｕ１、Ｄ２Ｕ１、Ｄ２Ｕ１、Ｄ２Ｕ１．．．の静穏化パターンを生じ得る。このギャップパターンの例を図１７に示す。このギャップパターンは、図１６でのパターンよりも多くの位相オフセットに有効であるが、また、図１６のギャップパターンのスループットロスを超える、４０％のスループットロスをＬＴＥに生じる。
【００８４】
タイムライン制約に基づくギャップパターンの選択  
ギャップパターンは、いくつかのタイムライン制約または基準を含む、様々な基準を満たすように選択され得る。タイムライン制約は、許可または他のスケジューリングアクティビティ、および／あるいはハイブリッド自動再送要求（ＨＡＲＱ）または他の肯定応答／否定応答タイムラインを含み得る。ギャップパターンはまた、スループットロスを低減すること、いくつかの制御チャネルまたはサブフレームを保護することなどを行うように選択され得る。
【００８５】
上記の例はすべて、ＬＴＥ  ＴＤＤ構成１（ＤＤＤＵＵ）を使用するギャップパターン構成を示す。ＴＤＭ構成に関する上記の教示は、ＬＴＥ  ＴＤＤ構成１に限定されない。同様に、タイムライン制約／ＨＡＲＱプロセス構成に関する下記の教示は、ＴＤＤ構成１に限定されない。与えられる教示は、他のＴＤＤ構成に適用され得る。特に、ｅＳＣＯとＬＴＥタイミングとの間のオフセットを計算する方法、および所望のギャップパターンを計算するためにオフセットを適用する方法は、様々なＴＤＤ構成とともに利用され得る。ＬＴＥギャップ時間を低減または最小化しながら、広範囲のオフセットに有効なギャップパターンを設計することが望ましいことがある。述べたように、ＵＥは、オフセットを計算し、ギャップパターンを選択するためにｅＮＢにそれを送り得、またはＵＥは、ギャップパターンを選択し、ｅＮＢにそれを送り得る。ＵＥはまた、オフセットがドリフトするかどうかを追跡し得、相応してギャップパターンを更新させ得る。
【００８６】
ｅＮＢは、上記で説明したように、共存のためのＴＤＭ動作を可能にする方法でＨＡＲＱプロセスを割り当て得る。特に、ＨＡＲＱプロセスを判断するために３つの方法が使用され得る。第１に、確立されたＨＡＲＱプロセスは、任意のｅＳＣＯオフセットに対して十分な運用性を与える（およびｅＳＣＯオフセットが知られていないときに特に使用され得る）「ユニバーサル」ＴＤＭギャップパターンに関連付けられ得る。第２に、フレームオフセットが知られているとき、確立されたＨＡＲＱプロセスは、知られているオフセットで動作する特定のギャップパターンに対して選定され得る。特定のＨＡＲＱプロセスは、スループットを増加／最大化するように選定され得る。第３に、フレームオフセットが知られているとき、ＨＡＲＱプロセスは、知られているオフセットで動作する特定のギャップパターンのためにカスタマイズされ得る。これらの３つの方法について以下で説明する。
【００８７】
ＨＡＲＱプロセス選択のための第１の方法では、所与のＴＤＤ構成について、ＨＡＲＱプロセスの確立された構成は、取得されたＴＤＭギャップパターンにより、任意のｅＳＣＯオフセットに対してｅＳＣＯ  Ｂｌｕｅｔｏｏｔｈとの共存が可能になるように選択される。本明細書で説明するすべての方法と同様に、この方法は複数のＴＤＤ構成とともに使用され得る。図１８Ａに、ＬＴＥ  ＴＤＤ構成０（ＤＤＵＵＵ−２つのダウンリンクサブフレームに３つのアップリンクサブフレームが続く）でのＨＡＲＱプロセス選択の第１の方法を示す。この例では、（図１８ＡにおいてそれぞれＸによってマーキングされた）いくつかのＬＴＥサブフレームを消去するギャップパターンが示されている。図示の消去ギャップパターンはＤ２Ｕ１Ｕ２であり、それぞれの５ｍｓＬＴＥハーフフレーム中に、第２のダウンリンクサブフレームと、第１のアップリンクサブフレームと、第２のアップリンクサブフレームとが消去されることを意味する。成功したＢｌｕｅｔｏｏｔｈ動作は、Ｂｌｕｅｔｏｏｔｈライン上の消去されたサブフレーム中にチェックマーク（レ）を用いて示されている。ＨＡＲＱプロセスは、ＬＴＥタイムライン上の数字とともに示されている。ダウンリンクサブフレーム中の数字１’、２’、および１’は、それらのそれぞれの消去されなかったダウンリンクサブフレームのためのダウンリンクＨＡＲＱプロセスを示す。アップリンクサブフレーム上の数字１、２、および１は、それらのそれぞれの消去されなかったアップリンクサブフレームのためのアップリンクＨＡＲＱプロセスを示す。
【００８８】
述べたように、この方法は、複数のＴＤＤ構成のために使用され得る。図１８Ｂに、ＴＤＤ構成１（ＤＤＤＵＵ−３つのダウンリンクサブフレームの後に２つのアップリンクサブフレームが続く）で動作するＬＴＥでのＨＡＲＱ構成を示す。この例では、図示の消去ギャップパターンはＤ２Ｄ３Ｕ１であり、それぞれのＬＴＥハーフフレーム中に、第２のダウンリンクサブフレームと、第３のダウンリンクサブフレームと、第１のアップリンクサブフレームとが消去されることを意味する。図１８Ｃに、ＴＤＤ構成２（ＤＤＤＤＵ−４つのダウンリンクサブフレームの後に１つのアップリンクサブフレームが続く）で動作するＬＴＥでのＨＡＲＱ構成を示す。この例では、図示の消去ギャップパターンはＤ３Ｄ４であり、それぞれのＬＴＥハーフフレーム中に、第３のダウンリンクサブフレームと第４のダウンリンクサブフレームとが消去されることを意味する。図１８Ｄに、ＴＤＤ構成３（ＤＤＵＵＵ、ＤＤＤＤＤ、すなわち、２つのダウンリンクサブフレームをもつ１つのハーフフレームおよび３つのアップリンクサブフレームの後に５つのダウンリンクサブフレームをもつ１つのハーフフレームが続く）で動作するＬＴＥでのＨＡＲＱ構成を示す。この例では、図示の消去ギャップパターンはＤ２Ｕ１Ｕ２、Ｄ１Ｄ２Ｄ３Ｄ４Ｄ５であり、第１のＬＴＥハーフフレーム中に、第２のダウンリンクサブフレームと、第１のアップリンクサブフレームと、第２のアップリンクサブフレームとが消去され、第２のＬＴＥハーフフレーム中で、すべてのダウンリンクサブフレームが消去されることを意味する。これらの教示は、（図１８Ｅに示した）ＴＤＤ構成４および（図１８Ｆに示した）ＴＤＤ構成５に同様に適用される。
【００８９】
ＨＡＲＱプロセス選択のための第２の方法では、ＨＡＲＱプロセスの確立された構成は、所与のｅＳＣＯオフセットと、ＴＤＤ構成と、ギャップパターンとに一致するように選定される。この状況では、ｅＳＣＯオフセットは知られている。ＵＥは、ｅＳＣＯタイムラインとＬＴＥ  ＴＤＤタイムラインとの間のオフセットを特徴づけ得る（およびｅＮＢにそのオフセットを通信し得る）。このオフセットは、ｅＳＣＯオフセットを用いるＴＤＭ動作を可能にするＨＡＲＱプロセスを選択するために使用され得る。ＨＡＲＱプロセスは、ダウンリンクおよび／またはアップリンク上で、スループットロスを低減／最小化するか、またはＬＴＥレートを増加／最大化するように選択され得る。この方法のためのＨＡＲＱプロセス選択のサンプルを図１９に示す。この例では、ＴＤＤ構成１で動作するＬＴＥを示し、図示の消去ギャップパターンＤ２Ｕ１、Ｄ２Ｄ３は、第１のＬＴＥハーフフレーム中に、第２のダウンリンクサブフレームと第１のアップリンクサブフレームとが消去され、第２のＬＴＥハーフフレーム中で、第２のダウンリンクサブフレームと第３のダウンリンクサブフレームとが消去されることを意味する。ダウンリンク上で、３つのＨＡＲＱプロセスが利用され、詳細には、第１のハーフフレーム中ではＨＡＲＱプロセス１’および２’が利用され、第２のハーフフレーム中ではＨＡＲＱプロセス３’が利用される。アップリンク上で、３つのＨＡＲＱプロセスが利用され、詳細には、第１のハーフフレーム中ではＨＡＲＱプロセス１が利用され、第２のハーフフレーム中ではＨＡＲＱプロセス２および３が利用される。説明しやすいように、この方法はＴＤＤ構成１に関してのみ示されているが、異なるＴＤＤ構成に対してｅＳＣＯオフセットに応じてＨＡＲＱプロセスを割り当てるために同様の手法が使用され得る。この第２の技法は、より単純な第１の技法よりも計算量的に複雑であるが、改善された結果を生じる可能性も高い。
【００９０】
所与のＬＴＥ  ＴＤＤ構成およびｅＳＣＯタイムラインとＬＴＥタイムラインとの間の時間オフセットについてどのＨＡＲＱプロセスを消去すべきかを選択するために、各ｅＳＣＯパケットに少なくとも１つの成功したＢｌｕｅｔｏｏｔｈスロットペアを与え、同時に、ダウンリンク、アップリンク、またはアップリンクとダウンリンクとの何らかの組合せ上でＬＴＥスループットを改善するプロセスの探索が実行され得る。ギャップパターンおよびＨＡＲＱプロセスを選択するとき、ＵＥとｅＮＢとの間の通信オーバーヘッドを低減するために限られた数のギャップパターンを有することが望ましいことがある。限られた数のＴＤＭギャップパターンおよびＨＡＲＱプロセスは、上記で説明した探索を使用して設計され、次いで、パターンのセットに量子化され得る。ＵＥは、ｅＮＢにオフセットをフィードバックし得、ｅＮＢはＴＤＭギャップパターンを計算し、ＵＥに通知する。代替的に、ギャップパターンの標準化されたセットが設計され得、ＵＥは、オフセットを計算し、標準化されたセット中のギャップパターンのうちの１つにこのオフセットをマッピングし得る。ＵＥは、次いで、ｅＮＢに、選択されたギャップパターンのインデックスをフィードバックし得、ｅＮＢは、次いで、ＵＥへのフィードバックメッセージを介して、ＵＥのギャップパターンがｅＮＢによって承認されたことを確認することになる。ｅＮＢはまた、ＵＥがスケジューラの複雑さに応じて任意のオフセットに有効なデフォルトギャップパターン（ユニバーサルギャップパターン）を実装すべきであると判断し得る。
【００９１】
ＨＡＲＱプロセス選択のための第３の方法では、ＨＡＲＱプロセスは、知られているｅＳＣＯオフセット、ＴＤＤ構成、およびＴＤＭギャップパターン向けにカスタマイズされ得る。ＨＡＲＱプロセスは、スループットを改善するようにカスタマイズされ得る。標準で利用可能であり得るＨＡＲＱプロセスに依拠するのではなく、所与のｅＳＣＯオフセット、ＴＤＤ構成、およびＴＤＭギャップパターンに専用の専用ＨＡＲＱプロセスが作成され得る。図２０に、３つのフレームにわたって繰り返されるカスタマイズされたＨＡＲＱプロセスを示す。図２０は、図１４に示したギャップパターンと対応する。図２１に、図１５に示したギャップパターンに対応するカスタマイズされたＨＡＲＱプロセスを示す。説明しやすいように、この方法はＴＤＤ構成１に関してのみ示されているが、異なるＴＤＤ構成に対してｅＳＣＯオフセットに応じてＨＡＲＱプロセスをカスタマイズするために同様の手法が使用され得る。この第３の技法は、前の技法よりも計算量的に複雑であるが、改善された結果を生じる可能性も高い。ＨＡＲＱプロセスは、上記で説明したように選択され得る。
【００９２】
所望のＨＡＲＱギャップパターンの判断  
ＨＡＲＱ準拠であるために、ギャップパターンは、ダウンリンクについてはＡＣＫ（肯定応答）を送り、アップリンク許可ならびにＰＨＩＣＨ（物理ハイブリッド自動再送要求インジケータチャネル）（すなわち、アップリンクＡＣＫ）を取得することを可能にする。オプションとして、別の態様では、最も望まれるギャップパターンはまた、ＬＴＥについて低ダウンリンク／アップリンクスループットロスを有する。
【００９３】
本開示の一態様は、ギャップパターンを見つけるための方法について説明する。特に、各ＬＴＥ  ＴＤＤ構成について、ＨＡＲＱ準拠ギャップパターンの網羅的セットが識別される。一例では、パターンの２つのセットが識別される。第１に、パターン中の各使用されるダウンリンクサブフレームおよびアップリンクサブフレームがデータトラフィックを搬送することができるという制限を用いてすべての可能なパターンが考慮される。
【００９４】
第２に、非データダウンリンクサブフレームおよびアップリンクサブフレームが許可される可能なパターンが考慮される。すべてのそのような可能なパターンが考慮され得る。非データダウンリンクサブフレームは、アップリンク許可／ＰＨＩＣＨのみを搬送し得る。非データアップリンクサブフレームは、肯定応答（ＡＣＫ）または他の制御情報のみを搬送し得る。
【００９５】
所与のＴＤＤ構成について、以下の表１に示すように、サブフレームのいくつかのグループが定義され得る。たとえば、ＴＤＤ構成２中のグループ１は、｛９、０、１｝／３／７を含み得、サブフレーム９、０、１の任意のサブセットがサブフレーム３および７とともに使用され得る。表１では、シンボル（Φ）は空セットを示し、「＼Φ」は、空セットから選択しないことを示す。
【表１】
0005714725.tif 000003
【００９６】
一態様では、非データサブフレームが許可されない場合はダウンリンクとアップリンクの両方について、または非データサブフレームが許可される場合はダウンリンクまたはアップリンクのいずれかについて、グループ内のサブフレームの任意の選定はそれ自体の内でＨＡＲＱ準拠である。一態様では、特定のＨＡＲＱパターンは、定義されたグループの各々からの１つの選定から生じる。たとえば、構成２の場合、グループ１は、｛９、０、１｝／３／７に等しく、グループ２は｛４、５、６｝／８／２に等しい。可能なＨＡＲＱパターンは、サブフレーム９／３／７／４／５／８／２であり、１０ｍｓ中の１０個のサブフレームについて１０ビットパターンを使用して００１１１１０１１１としても表され得る。
【００９７】
代替的に、場合によっては、複数のグループがなく、代わりに、サブフレームの異なるセットがあり、したがって、ＨＡＲＱパターンが特定のセットのみから選定される。たとえば、構成４の場合、セット１＝｛６、７｝／９／３であり、セット２＝｛０、１、４、５、６、７｝／８／９／２／３である。
【００９８】
オプションとして、ＴＤＤ構成６の場合のＨＡＲＱパターンは、異なる方法で取得され得る。表２に示すように、６つのペアのダウンリンク／アップリンクＨＡＲＱプロセスがサブフレームを使用する。各ＨＡＲＱプロセスのために使用されるサブフレームは６つの無線フレームの後に繰り返す。すべてのＨＡＲＱパターンのセットは、６つのＨＡＲＱプロセスのうちの１つまたは複数を選定することによって取得され得る。構成６の場合、ＨＡＲＱパターンは、６ビットパターンを使用して表され得る。
【表２】
0005714725.tif 000004
【００９９】
様々なギャップパターンのランキングを可能にするために、各ＨＡＲＱパターンに対して新しい重みメトリックが定義され得る。一例では、ＡＣＫを含んでいるアップリンクサブフレームもパターン中に存在する場合のみ、各ダウンリンクサブフレームはパターンの重みに１を追加する。さらに、許可／ＰＨＩＣＨを含んでいるダウンリンクもパターン中に存在する場合のみ、各アップリンクサブフレームはパターンの重みに１を追加する。ダウンリンク重みまたはアップリンク重みのいずれかがゼロである場合、重みはゼロに設定される。重み付けが使用されるダウンリンクサブフレームおよびアップリンクサブフレームの任意の関数である場合、他の重みメトリックも考慮され得ることを当業者には諒解されよう。さらに、重みメトリックは、ＬＴＥ上に関するダウンリンクおよび／またはアップリンクトラフィック仕様などの他の基準に基づいて調整され得る。
【０１００】
オプションとして、別の態様では、所与のＴＤＤ構成について、あらゆる可能なＨＡＲＱパターンと、ＬＴＥとＢｌｕｅｔｏｏｔｈとの間のあらゆる可能なタイミングオフセットとについて、Ｂｌｕｅｔｏｏｔｈ送信（Ｔｘ）および受信（Ｒｘ）パケット誤り率（ＰＥＲ：packet error rate）が計算される。一例では、ＬＴＥ送信とＢｌｕｅｔｏｏｔｈ受信との重複はＢｌｕｅｔｏｏｔｈ受信機誤りをもたらし、パターン中でＢｌｕｅｔｏｏｔｈ送信がＬＴＥ受信と重複した場合Ｂｌｕｅｔｏｏｔｈ送信は送られない。
【０１０１】
パケット誤り率を計算するために、すべての可能なオフセットの一様なサンプリングが考慮され得る。たとえば、Ｂｌｕｅｔｏｏｔｈが６スロットのｅＳＣＯを使用する場合、タイミングオフセットは０〜３．７５ｍｓにわたり、３７．５μｓだけ分離された１００個のオフセットが使用され得る。６スロットのＢｌｕｅｔｏｏｔｈ  ｅＳＣＯを用いる１０ｍｓのＨＡＲＱパターン（ＴＤＤ構成０〜５）の場合、その後重複パターンが繰り返すので、パケット誤り率は３０ｍｓの長さにわたって計算され得る。ＴＤＤ構成６の場合、ＨＡＲＱパターンは６０ｍｓの周期性を有し、その後重複も繰り返す。
【０１０２】
さらに、計算は、Ｂｌｕｅｔｏｏｔｈマスタとスレーブの両方について別々に実行され得る。限定はしないが、１２個のスロットをもつｅＳＣＯなど、様々なｅＳＣＯ構成が使用され得ることを当業者は諒解されよう。
【０１０３】
各ＨＡＲＱパターンについて、すべてのオフセットにわたりＢｌｕｅｔｏｏｔｈ送信（Ｔｘ）および受信（Ｒｘ）パケット誤り率の和が計算され得る。次いで、組み合わされた和がゼロとなるＨＡＲＱパターンが選択される。すべてのオフセットにわたりゼロサムをもつ選択されたＨＡＲＱパターンの中から、最大の重みをもつパターンが選択される。これらのパターンは、ＬＴＥとスレーブモードで動作するＢｌｕｅｔｏｏｔｈとの間のあらゆるタイミングオフセットに有効であるので、ユニバーサルパターンと呼ばれる。ユニバーサルパターンを選択するための基準は、すべてのオフセットについて（ゼロパケット誤り率（ＰＥＲ）の代わりに）許容できるＢｌｕｅｔｏｏｔｈ性能を生じるように変更され得る。ターゲットＢｌｕｅｔｏｏｔｈパケット誤り率（ＰＥＲ）は、Ｂｌｕｅｔｏｏｔｈリンクによって（すなわち、ＬＴＥなしに）見られる現在のＢｌｕｅｔｏｏｔｈリンク誤り率に依存することができる。たとえば、Ｂｌｕｅｔｏｏｔｈリンク誤りが１０％であった場合、３％のターゲットが選択され得る。代替的に、Ｂｌｕｅｔｏｏｔｈ性能の基準として、ｅＳＣＯ間隔ごとに一定数の成功したＢｌｕｅｔｏｏｔｈ送信および受信スロットも使用され得る。
【０１０４】
各所与のオフセットについて、許容できるＢｌｕｅｔｏｏｔｈ性能（ゼロＴｘおよびＲｘ  ＰＥＲなど）をもたらす最大重みＨＡＲＱパターンがリストされる。一態様では、すべてのオフセットのために使用されるパターンの数が低減または最小化される。パターンの数を低減／最小化することの一例は、次のように説明される。各オフセットについて、最大重みを有するパターンのすべてがリストされる。見つけられたパターンのすべてのランクは、すべてのオフセット中に現れるパターンの回数に基づいて計算される。各オフセットについて、最高ランクのパターンが選択される。ユニバーサルパターンの重みに等しい重みをもたらすオフセットについて、ユニバーサルパターンが選定される。一態様では、重み５をもつ、ＢｌｕｅｔｏｏｔｈスレーブのためのＴＤＤ構成１のために見つけられたユニバーサルパターンは、００１１０１１００１、００１１１１００１１、１００１１００１１１および１１００１００１１０を含む。表３には、すべてのＴＤＤ構成のためのＢｌｕｅｔｏｏｔｈスレーブのためのユニバーサルパターンのセットが示されている。
【表３】
0005714725.tif 000005
【０１０５】
別の態様では、マスタモードで動作するＢｌｕｅｔｏｏｔｈのためのギャップパターンを見つける方法について説明する。Ｂｌｕｅｔｏｏｔｈマスタの場合、各オフセットについて、許容できるＢｌｕｅｔｏｏｔｈ性能を与える最大重みパターンが最初に見つけられる。次いで、各オフセットについての最大重みの中から最大重みが計算される。次いで、この最大重みに対応する許容できるパターンとオフセットとのセットがリストされる。マスタは、それのタイミングをこれらのオフセットに調整することができるので、これらはフレーム整合パターンである。パターンの数を低減または最小化するために、Ｂｌｕｅｔｏｏｔｈスレーブのためのパターンの一部でもある（１つまたは複数の）フレーム整合パターンが選択され得る。表４に、それの時間オフセットを調整するＢｌｕｅｔｏｏｔｈマスタのための可能なＨＡＲＱパターンをリストする。構成０および構成１の場合、ＬＴＥロスのないフレーム整合に対応する重み１０パターンが選択される。残りの構成では、何らかのＬＴＥロスがあり得、最大重みパターンが表にリストされている。
【表４】
0005714725.tif 000006
【０１０６】
上記で説明した方法では、最大重みをもつＨＡＲＱパターンが選択される。オプションとして、別の態様では、特定の重みを有するＨＡＲＱパターンが選択され、特定の重みは最大重みではない。
【０１０７】
別の態様では、Ｂｌｕｅｔｏｏｔｈマスタまたはスレーブによるオフセットベースパターン選択を実行するために間欠受信（ＤＲＸ）が採用され得る。ＵＥは、特定のギャップパターンを要求するためにＤＲＸパラメータをシグナリングすることができる。オフセットシグナリングおよびビットマスク（bitmask）シグナリングも使用され得る。１０ｍｓのＤＲＸ動作の場合、ダウンリンクサブフレームのためのビットマスクは、いくつかのサイクリックシフト構成の場合は連続であり得る。たとえば、ＴＤＤ構成３（ＤＳＵＵＵＤＤＤＤＤ）では、各１０ｍｓの無線フレーム中に７つのダウンリンク無線サブフレームがある。ＨＡＲＱパターン１００１１００００１の場合、ダウンリンクサブフレームのためのビットマスクは、７ビットパターン１０００００１である。サイクリックシフト１の後、その７ビットパターンは連続する１を有する１１０００００となり、１０ｍｓのＤＲＸが適用可能であることを意味する。ここで、ＬＴＥ仕様において定義されているように、ｏｎＤｕｒａｔｉｏｎの値は２に設定され得、ｄｒｘＳｔａｒｔＯｆｆｓｅｔの値は９に設定され得、ｄｒｘＣｙｃｌｅの値は１０に設定され得る。
【０１０８】
５ｍｓのＤＲＸ動作の場合、ある１０ｍｓの間隔上の第１の半分の５ｍｓと第２の半分の５ｍｓとにいくつかの条件が適用され得る。また、２ｍｓのＤＲＸに対して同様の条件が適用し得る。第１に、いずれかの半分中に未使用のダウンリンクサブフレームがある場合、その未使用のダウンリンクサブフレームの後に他の使用されるダウンリンクサブフレームはない。この条件により、ＤＲＸサイクル中のｏｎＤｕｒａｔｉｏｎ内に未使用のダウンリンクサブフレームがないようになる。第２に、１つまたは両方の半分が未使用のダウンリンクサブフレームを有する場合、（以下で説明する、量Ｍによって表される）第１の未使用のダウンリンクサブフレームの前の使用されるダウンリンクサブフレームの数は、両方の半分中で等しく、非ゼロでなければならない。この条件により、未使用のダウンリンクサブフレームをもつ２つ以上の半分があった場合、同じ値のｏｎＤｕｒａｔｉｏｎが使用され得るようになる。第３に、未使用のダウンリンクサブフレームを有しないいずれかの半分中のダウンリンクサブフレームの数は、上記で定義したＭの値以下でなければならない。この条件により、未使用のダウンリンクサブフレームを有しない半分中で利用可能なダウンリンクサブフレームが使用され得るようになる。これらの条件が満たされた場合、５ｍｓが適用可能であり、ｏｎＤｕｒａｔｉｏｎは、ＭまたはＭよりも小さい別の非ゼロ整数値のいずれかに設定される。
【０１０９】
一例として、５ｍｓのＤＲＸ動作の場合、ＴＤＤ構成１（ＤＳＵＵＤＤＳＵＵＤ）の場合、ビットマスク１０１１１１０１１１が上記で説明した３つの条件を満たす。したがって、５ｍｓのＤＲＸは適用可能である。ここで、ｏｎＤｕｒａｔｉｏｎの値は２に設定され得、ｄｒｘＳｔａｒｔＯｆｆｓｅｔの値は４に設定され得、ｄｒｘＣｙｃｌｅの値は５に設定され得る。ＤＲＸ手法を使用して、１０ｍｓ、５ｍｓ、または２ｍｓのＤＲＸが所望のパターンを達成することができなかった場合、ＨＡＲＱパターンの重みメトリックは０に設定され得る。
【０１１０】
別の態様は、ｅノードＢにおけるギャップパターン選択を開示し、ｅノードＢは、様々なＵＥのためのギャップパターンを選択し得る。ｅノードＢは、特定のギャップパターンについての要求をＵＥから受信し得る。複数のＵＥが同じパターンを要求し、ｅノードＢが要求元ＵＥのすべてに同じ要求されたパターンを割り当てた場合、ｅノードＢ側でサブフレームのいくつかが使用されないことがある。一態様では、ＵＥはすべて特定のパターンを要求し得るが、ｅノードＢは、ｅノードＢ側での負荷分散を促進し、すべてのサブフレームが等しく使用されるようにするために、要求されたパターンではなく異なるパターンを割り当てることを決定し得る。
【０１１１】
一態様では、ｅノードＢは、ｅノードＢのギャップパターン選択を支援するためにＵＥから受信した情報を使用し得る。特に、ｅノードＢがＵＥから共存指示を受信した場合、ｅノードＢは、前に説明した方法に基づいてギャップパターンを選択することができる。共存指示は、Ｂｌｕｅｔｏｏｔｈ動作モード（たとえば、マスタまたはスレーブ）、ＵＥからのＬＴＥ−Ｂｌｕｅｔｏｏｔｈタイミングオフセット、および／またはＵＥからの示唆されたパターンなどの情報を含み得る。ｅノードＢがＢｌｕｅｔｏｏｔｈスレーブから共存指示のみを受信し、Ｂｌｕｅｔｏｏｔｈとのタイミングオフセットを受信しなかった場合、ｅノードＢは、前の方法に基づいてユニバーサルパターンを選択することができる。ｅノードＢが、Ｂｌｕｅｔｏｏｔｈスレーブから共存指示をタイミングオフセット情報とともに受信した場合、ｅノードＢは、前の方法からオフセットベースパターンを選択することができる。さらに、ｅノードＢがＢｌｕｅｔｏｏｔｈスレーブモード中にＵＥからギャップパターンについての要求を受信したが、このギャップパターンがサポートされていなかった場合、ｅノードＢは、ユニバーサルパターンを選択することができる。さらに、ｅノードＢがＢｌｕｅｔｏｏｔｈマスタモード中にＵＥからギャップパターンについての要求を受信したが、このギャップパターンがサポートされていなかった場合、ｅノードＢは、ＵＥのための別のフレーム整合パターンを選択することができる。アプリケーションの仕様など何らかの理由で重みメトリックが変化した場合、ｅノードＢは、オフセットベースパターンまたはユニバーサルパターンまたはフレーム整合パターンを再計算し得る。ｅノードＢが、共存問題をもつ、スレーブモードまたはマスタモードのいずれかにあるＢｌｕｅｔｏｏｔｈを有するいくつかのＵＥをサービスしている場合、ｅノードＢは、ユーザ間の重複を低減するようにパターンを選択および／または割り当て得る。たとえば、ｅノードＢは、異なるＵＥが異なる時間にスケジュールされるようにし、スケジュールされたＬＴＥ送信がない時間がほとんどないかまたはまったくないようにするために、異なるＵＥに異なるパターンを割り当て得る。ｅノードＢは、Ｂｌｕｅｔｏｏｔｈとの共存問題を有する異なるＵＥに最終ギャップパターンを確認することができ、Ｂｌｕｅｔｏｏｔｈはマスタモードまたはスレーブモードにある。
【０１１２】
本開示の別の態様は、ｅノードＢ構成に対処する。特に、ＨＡＲＱパターンが選択されると、ｅノードＢは、そのパターンに基づいて、ＳＲ／ＳＲＳ／ＰＲＡＣＨ（スケジューリング要求／サウンディング基準信号／物理ランダムアクセスチャネル）およびＣＱＩ（チャネル品質インジケータ）を構成し得る。ＳＲＳ／ＰＲＡＣＨは、それらがＨＡＲＱパターン中で使用されるアップリンクサブフレームに制限されるように構成され得る。ＣＱＩは、パターン中に存在し、同じくパターン中に存在するアップリンクサブフレーム上で送られるダウンリンクサブフレームに基づいて計算される。別の態様では、ｅノードＢがパターン中に存在しないサブフレーム中でシグナリングを構成する場合、ｅノードＢはまた、ＬＴＥリンク中の壊れたダウンリンク部分または未送信のアップリンク部分を考慮する。たとえば、ＳＲＳが特殊なサブフレームのアップリンク（すなわち、特殊なサブフレームのＵｐＰＴＳ）中に構成される場合、ｅノードＢは、共存問題を防ぐためにＵＥが実際にＳＲＳを送ったか、またはＳＲＳを送らなかったかを判断するためにＤＴＸ（間欠送信）検出を実行し得る。さらに、ＵＥは、ＳＲＳがパターンの一部でないサブフレームのために構成されたときに常に送信されないようにする。
【０１１３】
別の態様は、ＨＡＲＱパターン選択を用いるＵＥ挙動を開示する。ＵＥ側において知られている様々なファクタがパターン選択を助け得る。特に、ＵＥは、共存マネージャ（ＣｘＭ）の存在によって、ＬＴＥとＢｌｕｅｔｏｏｔｈスレーブとの間のタイミングオフセットに気づいている。ＵＥは、知られているオフセットに基づいて、最良のＨＡＲＱパターンを選択し、それをｅノードＢに要求するために、前に説明した方法を使用し得る。代替的に、ＵＥは、ｅノードＢにタイミングオフセットを送り得、したがって、ｅノードＢにおいて選択が行われる。
【０１１４】
さらに、ＬＴＥアップリンクがＢｌｕｅｔｏｏｔｈに干渉をほとんど生じない場合、一例では、アップリンクサブフレームは保たれる、すなわち、それらはスケジューリングのために利用可能である。同様に、ＢｌｕｅｔｏｏｔｈがＬＴＥダウンリンクへの影響をほとんど生じない場合、ＬＴＥダウンリンクフレームは保たれ得る、すなわち、それらはスケジューリングのために利用可能である。これはまた、電力バックオフがＢｌｕｅｔｏｏｔｈ側で実行される場合、有用であり得る。さらに、これは、パケット誤り率（ＰＥＲ）が計算されるときに使用され得る。Ｂｌｕｅｔｏｏｔｈリンク状態がＵＥにおいて知られているので、ターゲットＢｌｕｅｔｏｏｔｈ誤り率はＵＥによって設定され得る。
【０１１５】
ＬＴＥとＢｌｕｅｔｏｏｔｈとの間のタイミングオフセットがドリフトするにつれて、ＵＥは、新しいオフセットベースギャップパターンを要求することができる。ドリフトが極めて高速であった場合、ＵＥは、ユニバーサルパターンを要求することができる。ＵＥが、Ｂｌｕｅｔｏｏｔｈマスタと共存問題を有する場合、ＵＥは、上記で説明したフレーム整合パターンを要求し、そのパターンを使用するためにそれのタイミングオフセットを変更することができる。ＢｌｕｅｔｏｏｔｈマスタモードにあるＵＥは、フレーム整合ギャップパターンを要求するが、ｅノードＢが異なるパターンを割り当てた場合、ＵＥは、それのタイミングオフセットを変更して、要求されたパターンではなく割り当てられたパターンを使用することができる。一例では、ＬＴＥロスがない場合、フレーム整合パターンは使用または要求されない。さらに、重みメトリックが変化する場合、ＵＥはＨＡＲＱパターンを再計算することができる。
【０１１６】
ＵＥが、特定のパターンが使用されていることに気づくと、ＵＥは、それの挙動中で空のサブフレームを考慮することができる。特に、ＵＥは、パターンの一部でないダウンリンクサブフレームにおいてＰＤＣＣＨ（物理ダウンリンク制御チャネル：physical downlink control channel）の復号を試みないことになる。さらに、ＰＤＣＣＨがない場合、復号すべきＰＤＳＣＨ（物理ダウンリンク共有チャネル：physical downlink shared channel）がないことになる。別の例では、ＵＥは、ＰＲＡＣＨ（物理ランダムアクセスチャネル：physical random access channel）が構成された場合でも、特殊なサブフレームのアップリンク（特殊なサブフレームのＵｐＰＴＳ）中でＰＲＡＣＨを送らない。ＵＥは、あらゆる測定において（パターンの一部でない）壊れたダウンリンクサブフレームを考慮することができる。言い換えれば、ＵＥは、Ｂｌｕｅｔｏｏｔｈに干渉する未使用のダウンリンクサブフレームからの測定を含めないことになる。同様に、チャネル推定、自動利得制御（ＡＧＣ：automatic gain control）、周波数および時間トラッキングループなどのＣＲＳを必要とするＵＥアルゴリズムの場合、ＵＥは、パターン中のギャップとして示されるサブフレーム中でＣＲＳを使用しないことになる。ＵＥはまた、パターン中でＬＴＥに割り振られたダウンリンクサブフレーム中でＢｌｕｅｔｏｏｔｈ送信が防げられるようにする。
【０１１７】
ギャップパターンは、ＵＥへのダウンリンク制御信号の適切な受信を保証するために、いくつかのダウンリンクサブフレームを保護するように構築され得る。このようにした制御信号の保護は、特定の動作シナリオに依存し得る。初期収集が完了しており、ＵＥが、サービングセルとのアクティブ接続にあり、ネイバーセル検出に関与していると仮定すると、プライマリ同期信号（ＰＳＳ：primary synchronization signal）および／またはセカンダリ同期信号（ＳＳＳ：secondary synchronization signal）は保護され得る。ＰＳＳはサブフレーム１および６中で送られる。ＳＳＳはサブフレーム０および５中で送られる。ＰＳＳとＳＳＳとのうちの少なくとも１つがブランキングされないようにするために、サブフレーム０および１は、ギャップパターンの動作部分中に含まれ得る。同様に、ＵＥが、サブフレーム０中で送られる物理ブロードキャストチャネル（ＰＢＣＨ：physical broadcast channel）をモニタしている場合、サブフレーム０を保護することはＰＢＣＨを保護することになる。システム情報ブロック（ＳＩＢ：System information block）の変更も保護され得る。他のＳＩＢに関する情報を搬送するＳＩＢ１はサブフレーム５中で送られる。ギャップパターンは、サブフレーム５がブランキングされないように構築され得る。基準信号受信電力（ＲＳＲＰ：reference signal received power）および基準信号受信品質（ＲＳＲＱ：reference signal received quality）などの測定は、サービングセルとネイバーセルの両方のための基準信号（ＲＳ）に対して実行される。したがって、これらの測定は、動作ダウンリンクサブフレームにおいて行われ得る。
【０１１８】
Ｂｌｕｅｔｏｏｔｈマスタとして動作するＵＥの場合、ＴＤＤ構成１の場合、６スロットのｅＳＣＯ動作ではギャップパターンは要求されない。ＴＤＤ構成２および３の場合、フレーム整合パターンは、サブフレーム０、１、５、および６を含み得、したがって、Ｂｌｕｅｔｏｏｔｈマスタ動作は干渉を受けないことがあるＢｌｕｅｔｏｏｔｈスレーブの場合、ユニバーサルギャップパターンは、ＴＤＤ構成１、２、および３の場合はサブフレーム０、１、５、および６のすべてを含まないことがある。一態様では、これらのサブフレームのサブセットがギャップパターン中に含まれ得る。たとえば、各無線フレームについてＰＢＣＨおよび１つのＰＳＳ／ＳＳＳが保護されるようにするために、サブフレーム０および１が含まれ得る。これは、ＨＡＲＱプロセス手法を用いる、ユニバーサルパターンおよびオフセットベースパターンを用いるＴＤＤ構成１および３の場合、実現可能である。ＤＲＸ手法の場合も可能である。別の例では、ＳＩＢ１の受信を保証するためにサブフレーム５が保護され得る。これは、ＨＡＲＱプロセス手法を用いる、ＴＤＤ構成１、２、および３の場合、実現可能である。ＴＤＤ構成１および２の場合、ＤＲＸ手法の場合も可能である。別の例では、ＰＢＣＨがブランキングされないようにするためにサブフレーム０のみが保護され得る。これは、ＨＡＲＱプロセス手法を用いる、ＴＤＤ構成１、２、および３の場合、実現可能である。ＴＤＤ構成１および２の場合、ＤＲＸ手法の場合も可能である。いくつかのシナリオでは、ＴＤＤ構成２においてサブフレーム０のみを保護するなど、ＤＲＸ手法よりもフレキシブルなＨＡＲＱプロセス手法が所望され得る。
【０１１９】
所望のサブフレームを保護するために、所望のサブフレームを含まないギャップパターンは０の重みが与えられ得る。同様に、ＤＲＸ手法を使用する場合、ＤＲＸが所望のパターンを達成できない場合、ＤＲＸ手法に０の重みが割り当てられ得る。保護されるべきダウンリンクサブフレームは、それらのダウンリンクサブフレームがいかなる許可／確認応答信号も搬送しないとしても、ギャップパターン判断のためにＨＡＲＱパターン探索空間に追加され得る。
【０１２０】
ＴＤＤ構成の場合を示したが、上記の手法はＦＤＤ通信の場合にも実装され得る。
【０１２１】
図２２に示すように、ｅノードＢまたはＵＥなどの装置は、ブロック２２０２に示すように、第１の無線アクセス技術（ＲＡＴ）のための少なくとも１つの潜在的ギャップパターン構成を判断し得る。少なくとも１つのギャップパターン構成は、第１のＲＡＴの少なくとも１つのスケジューリングタイムライン制約を満たす。装置は、ブロック２２０４に示すように、第１のＲＡＴと第２のＲＡＴとの間の競合を低減する少なくとも１つの潜在的ギャップパターン構成のうちの１つを選択し得る。
【０１２２】
図２３に、ＵＥのための装置２３００の設計を示す。装置２３００は、第１の無線アクセス技術（ＲＡＴ）のための少なくとも１つの潜在的ギャップパターン構成を判断するためのモジュール２３０２を含む。少なくとも１つのギャップパターン構成は、第１のＲＡＴの少なくとも１つのスケジューリングタイムライン制約を満たす。装置２３００は、第１のＲＡＴと第２のＲＡＴとの間の競合を低減する少なくとも１つの潜在的ギャップパターン構成のうちの１つを選択するためのモジュール２３０４を含む。図２３のモジュールは、プロセッサ、電子デバイス、ハードウェアデバイス、電子構成要素、論理回路、メモリ、ソフトウェアコード、ファームウェアコードなど、またはそれらの任意の組合せであり得る。
【０１２３】
装置は、第１の無線アクセス技術（ＲＡＴ）のための少なくとも１つの潜在的ギャップパターン構成を判断するための手段を備え得る。少なくとも１つのギャップパターン構成は、第１のＲＡＴの少なくとも１つのスケジューリングタイムライン制約を満たす。本装置はまた、第１のＲＡＴと第２のＲＡＴとの間の競合を低減する少なくとも１つの潜在的ギャップパターン構成のうちの１つを選択するための手段を備え得る。一態様では、上述の手段は、上述の手段によって説明された機能を実行するように構成された、プロセッサ２３０、メモリ２３２、プロセッサ２７０、メモリ２７２、共存マネージャ６４０、ギャップパターンモジュール１０１４、タイムライン制約モジュール１０１６、モジュール２３０２、および／またはモジュール２３０４であり得る。別の態様では、上述の手段は、上述の手段によって説明される機能を実行するように構成されたモジュールまたは任意の装置であり得る。
【０１２４】
上記の例は、ＬＴＥシステムにおいて実装される態様について説明するものである。ただし、本開示の範囲はそのように限定されない。様々な態様は、限定はしないが、ＣＤＭＡシステム、ＴＤＭＡシステム、ＦＤＭＡシステム、およびＯＦＤＭＡシステムを含む様々な通信プロトコルのいずれかを採用した通信システムなど、他の通信システムとともに使用するように適応され得る。
【０１２５】
開示したプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１２６】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２７】
さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを、当業者なら諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１２８】
本明細書で開示する態様に関して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１２９】
本明細書で開示する態様に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに接続される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１３０】
開示した態様の前述の説明は、当業者が本開示を実施または使用できるように与えたものである。これらの態様への様々な修正は当業者には容易に明らかになり、本明細書で定義した一般原理は、本開示の趣旨または範囲から逸脱することなく他の態様に適用され得る。したがって、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
［Ｃ１］
ワイヤレス通信のための方法であって、
第１の無線アクセス技術（ＲＡＴ）のための少なくとも１つの潜在的ギャップパターン構成を判断することと、ここで、前記少なくとも１つのギャップパターン構成は、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択することと
を備える、方法。
［Ｃ２］
前記スケジューリングタイムライン制約は、許可スケジューリングおよびハイブリッド自動再送要求（ＨＡＲＱ）構成のうちの少なくとも１つを備える、
［Ｃ１］に記載の方法。
［Ｃ３］
前記選択されたギャップパターン構成に少なくとも部分的に基づいて少なくとも１つの潜在的ハイブリッド自動再送要求（ＨＡＲＱ）構成を判断することをさらに備える、
［Ｃ１］に記載の方法。
［Ｃ４］
前記少なくとも１つの潜在的ＨＡＲＱ構成を前記判断することは、前記選択されたギャップパターン構成と、フレームオフセットと、周波数分割複信構成と、時分割複信構成とに少なくとも部分的に基づいて、ＨＡＲＱプロセスのうちの少なくとも１つをカスタマイズすることをさらに備え、前記カスタマイズすることは、アップリンク通信と、ダウンリンク通信と、アップリンク通信およびダウンリンク通信の機能とのうちの１つの上で前記第１のＲＡＴのスループットを増加させることに少なくとも部分的に基づく、
［Ｃ３］に記載の方法。
［Ｃ５］
前記少なくとも１つの潜在的ＨＡＲＱ構成は、ＨＡＲＱ構成の所定のセットから選定される、
［Ｃ３］に記載の方法。
［Ｃ６］
前記カスタマイズすることは、
アップリンクＨＡＲＱ許可と送信との関係、
送信と肯定応答（ＡＣＫ）との関係、
ダウンリンクＨＡＲＱ許可とＡＣＫとの関係
のうちの少なくとも１つを変更することを備える、
［Ｃ４］に記載の方法。
［Ｃ７］
前記判断することは、前記第２のＲＡＴのタイムライン制約に少なくとも部分的に基づく、
［Ｃ１］に記載の方法。
［Ｃ８］
前記選択されたギャップパターン構成に基づいて前記第２のＲＡＴの動作を調整することをさらに備える、
［Ｃ１］に記載の方法。
［Ｃ９］
前記選択されたギャップパターン構成の指示を基地局に送ることをさらに備える、
［Ｃ１］に記載の方法。
［Ｃ１０］
フレームオフセットの指示と、ＨＡＲＱパターン構成の指示と、Ｂｌｕｅｔｏｏｔｈトラフィックタイプの指示とのうちの少なくとも１つを基地局に送ることをさらに備える、
［Ｃ１］に記載の方法。
［Ｃ１１］
前記選択することは、基地局によって実行され、ユーザ機器から受信した情報に少なくとも部分的に基づく、
［Ｃ１］に記載の方法。
［Ｃ１２］
前記情報は、共存指示と、Ｂｌｕｅｔｏｏｔｈ動作モードと、ＲＡＴタイミングオフセットと、所望のギャップパターン構成とのうちの少なくとも１つを備える、
［Ｃ１１］に記載の方法。
［Ｃ１３］
前記選択することは、複数のユーザ機器間の重複を低減することにさらに少なくとも部分的に基づく、
［Ｃ１１］に記載の方法。
［Ｃ１４］
前記選択されたギャップパターン構成の指示をユーザ機器に送ることをさらに備える、
［Ｃ１］に記載の方法。
［Ｃ１５］
前記選択されたギャップパターン構成は、前記ユーザ機器によって示される所望のギャップパターン構成とは異なる、
［Ｃ１４］に記載の方法。
［Ｃ１６］
前記選択されたギャップパターン構成を実装するように基地局が通信リソースを構成することをさらに備える、
［Ｃ１］に記載の方法。
［Ｃ１７］
前記通信リソースは、スケジューリング要求（ＳＲ）と、サウンディング基準信号（ＳＲＳ）と、物理ランダムアクセスチャネル（ＰＲＡＣＨ）と、チャネル品質インデックス（ＣＱＩ）とのうちの少なくとも１つを備える、
［Ｃ１６］に記載の方法。
［Ｃ１８］
前記第１のＲＡＴの通信と前記第２のＲＡＴの通信との間のフレームオフセットを判断することをさらに備え、前記少なくとも１つの潜在的ギャップパターン構成は、前記判断されたフレームオフセットに少なくとも部分的に基づく、
［Ｃ１］に記載の方法。
［Ｃ１９］
間欠受信（ＤＲＸ）を用いて前記選択されたギャップパターン構成を実装することをさらに備える、
［Ｃ１］に記載の方法。
［Ｃ２０］
前記選択することは、Ｂｌｕｅｔｏｏｔｈ誤り性能がしきい値を満たすことに少なくとも部分的に基づく、
［Ｃ１］に記載の方法。
［Ｃ２１］
各潜在的ギャップパターン構成に重みメトリックを割り当てることをさらに備え、前記選択することは、割り当てられた重みメトリックに少なくとも部分的に基づく、
［Ｃ１］に記載の方法。
［Ｃ２２］
前記選択することは、前記第１のＲＡＴの所望の性能に少なくとも部分的に基づく、
［Ｃ１］に記載の方法。
［Ｃ２３］
前記選択することは、前記第２のＲＡＴの所望の性能に少なくとも部分的に基づく、
［Ｃ１］に記載の方法。
［Ｃ２４］
前記選択することは、所望の制御信号を含んでいるサブフレームへの劣化を低減することに少なくとも部分的に基づく、
［Ｃ１］に記載の方法。
［Ｃ２５］
前記選択されたギャップパターン構成中の不要なサブフレームに少なくとも部分的に基づいて通信アクティビティを調整することをさらに備える、
［Ｃ１］に記載の方法。
［Ｃ２６］
ワイヤレス通信のための装置であって、
第１の無線アクセス技術（ＲＡＴ）のための少なくとも１つの潜在的ギャップパターン構成を判断するための手段と、ここで、前記少なくとも１つのギャップパターン構成は、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択するための手段と
を備える、装置。
［Ｃ２７］
ワイヤレス通信のためのコンピュータプログラム製品であって、
プログラムコードを記録した非一時的コンピュータ可読媒体を備え、前記プログラムコードは、
第１の無線アクセス技術（ＲＡＴ）のための少なくとも１つの潜在的ギャップパターン構成を判断するためのプログラムコードと、ここで、前記少なくとも１つのギャップパターン構成が、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択するためのプログラムコードと
を備える、コンピュータプログラム製品。
［Ｃ２８］
ワイヤレス通信のための装置であって、
メモリと、
前記メモリに接続された少なくとも１つのプロセッサと
を備え、前記少なくとも１つのプロセッサは、
第１の無線アクセス技術（ＲＡＴ）のための少なくとも１つの潜在的ギャップパターン構成を判断することと、前記少なくとも１つのギャップパターン構成は、前記第１のＲＡＴの少なくとも１つのスケジューリングタイムライン制約を満たす、
前記第１のＲＡＴと第２のＲＡＴとの間の競合を低減する前記少なくとも１つの潜在的ギャップパターン構成のうちの１つを選択することと
を行うように構成される、装置。
［Ｃ２９］
前記スケジューリングタイムライン制約は、許可スケジューリングおよびハイブリッド自動再送要求（ＨＡＲＱ）構成のうちの少なくとも１つを備える、
［Ｃ２８］に記載の装置。
［Ｃ３０］
前記少なくとも１つのプロセッサは、前記選択されたギャップパターン構成に少なくとも部分的に基づいて少なくとも１つの潜在的ハイブリッド自動再送要求（ＨＡＲＱ）構成を判断するようにさらに構成される、
［Ｃ２８］に記載の装置。
［Ｃ３１］
前記少なくとも１つのプロセッサは、前記選択されたギャップパターン構成と、フレームオフセットと、周波数分割複信構成と、時分割複信構成とに少なくとも部分的に基づいて、ＨＡＲＱプロセスのうちの少なくとも１つをカスタマイズするようにさらに構成され、前記カスタマイズすることは、アップリンク通信と、ダウンリンク通信と、アップリンク通信およびダウンリンク通信の機能とのうちの１つの上で前記第１のＲＡＴのスループットを増加させることに少なくとも部分的に基づく、
［Ｃ３０］に記載の装置。
［Ｃ３２］
前記少なくとも１つの潜在的ＨＡＲＱ構成は、ＨＡＲＱ構成の所定のセットから選定される、
［Ｃ３０］に記載の装置。
［Ｃ３３］
前記カスタマイズすることは、
アップリンクＨＡＲＱ許可と送信との関係、
送信と肯定応答（ＡＣＫ）との関係、
ダウンリンクＨＡＲＱ許可とＡＣＫとの関係
のうちの少なくとも１つを変更するようにさらに構成された前記少なくとも１つのプロセッサを備える、
［Ｃ３１］に記載の装置。
［Ｃ３４］
前記判断することは、前記第２のＲＡＴのタイムライン制約に少なくとも部分的に基づく、
［Ｃ２８］に記載の装置。
［Ｃ３５］
前記少なくとも１つのプロセッサは、前記選択されたギャップパターン構成に基づいて前記第２のＲＡＴの動作を調整するようにさらに構成された、
［Ｃ２８］に記載の装置。
［Ｃ３６］
前記少なくとも１つのプロセッサは、前記選択されたギャップパターン構成の指示を基地局に送るようにさらに構成される、
［Ｃ２８］に記載の装置。
［Ｃ３７］
前記少なくとも１つのプロセッサは、フレームオフセットの指示と、ＨＡＲＱパターン構成の指示と、Ｂｌｕｅｔｏｏｔｈトラフィックタイプの指示とのうちの少なくとも１つを基地局に送るようにさらに構成される、
［Ｃ２８］に記載の装置。
［Ｃ３８］
選択するように構成された前記少なくとも１つのプロセッサは、基地局に位置し、前記選択は、ユーザ機器から受信した情報に少なくとも部分的に基づく、
［Ｃ２８］に記載の装置。
［Ｃ３９］
前記情報は、共存指示と、Ｂｌｕｅｔｏｏｔｈ動作モードと、ＲＡＴタイミングオフセットと、所望のギャップパターン構成とのうちの少なくとも１つを備える、
［Ｃ３８］に記載の装置。
［Ｃ４０］
前記選択することは、複数のユーザ機器間の重複を低減することにさらに少なくとも部分的に基づく、
［Ｃ３８］に記載の装置。
［Ｃ４１］
前記少なくとも１つのプロセッサは、前記選択されたギャップパターン構成の指示をユーザ機器に送るようにさらに構成される、
［Ｃ２８］に記載の装置。
［Ｃ４２］
前記選択されたギャップパターン構成は、前記ユーザ機器によって示される所望のギャップパターン構成とは異なる、
［Ｃ４１］に記載の装置。
［Ｃ４３］
前記少なくとも１つのプロセッサは、前記選択されたギャップパターン構成を実装するように基地局が通信リソースを構成するようにさらに構成される、
［Ｃ２８］に記載の装置。
［Ｃ４４］
前記通信リソースは、スケジューリング要求（ＳＲ）と、サウンディング基準信号（ＳＲＳ）と、物理ランダムアクセスチャネル（ＰＲＡＣＨ）と、チャネル品質インデックス（ＣＱＩ）とのうちの少なくとも１つを備える、
［Ｃ４３］に記載の装置。
［Ｃ４５］
前記少なくとも１つのプロセッサは、前記第１のＲＡＴの通信と前記第２のＲＡＴの通信との間のフレームオフセットを構成するようにさらに構成され、前記少なくとも１つの潜在的ギャップパターン構成は、前記判断されたフレームオフセットに少なくとも部分的に基づく、
［Ｃ２８］に記載の装置。
［Ｃ４６］
前記少なくとも１つのプロセッサは、間欠受信（ＤＲＸ）を用いて前記選択されたギャップパターン構成を実装するようにさらに構成される、
［Ｃ２８］に記載の装置。
［Ｃ４７］
前記選択することは、Ｂｌｕｅｔｏｏｔｈ誤り性能がしきい値を満たすことに少なくとも部分的に基づく、
［Ｃ２８］に記載の装置。
［Ｃ４８］
前記少なくとも１つのプロセッサは、各潜在的ギャップパターン構成に重みメトリックを割り当てるようにさらに構成され、前記選択することは、割り当てられた重みメトリックに少なくとも部分的に基づく、
［Ｃ２８］に記載の装置。
［Ｃ４９］
前記選択することは、前記第１のＲＡＴの所望の性能に少なくとも部分的に基づく、
［Ｃ２８］に記載の装置。
［Ｃ５０］
前記選択することは、前記第２のＲＡＴの所望の性能に少なくとも部分的に基づく、
［Ｃ２８］に記載の装置。
［Ｃ５１］
前記選択することは、所望の制御信号を含んでいるサブフレームへの劣化を低減することに少なくとも部分的に基づく、
［Ｃ２８］に記載の装置。
［Ｃ５２］
前記少なくとも１つのプロセッサは、前記選択されたギャップパターン構成中の不要なサブフレームに少なくとも部分的に基づいて通信アクティビティを調整するようにさらに構成される、
［Ｃ２８］に記載の装置。
【図１】
0005714725.tif 000007
【図２】
0005714725.tif 000008
【図３】
0005714725.tif 000009
【図５】
0005714725.tif 000010
【図６】
0005714725.tif 000011
【図７】
0005714725.tif 000012
【図８】
0005714725.tif 000013
【図９】
0005714725.tif 000014
【図１０】
0005714725.tif 000015
【図１１】
0005714725.tif 000016
【図１２】
0005714725.tif 000017
【図１３】
0005714725.tif 000018
【図１４】
0005714725.tif 000019
【図１５】
0005714725.tif 000020
【図１６】
0005714725.tif 000021
【図１７】
0005714725.tif 000022
【図１８Ａ】
0005714725.tif 000023
【図１８Ｂ】
0005714725.tif 000024
【図１８Ｃ】
0005714725.tif 000025
【図１８Ｄ】
0005714725.tif 000026
【図１８Ｅ】
0005714725.tif 000027
【図１８Ｆ】
0005714725.tif 000028
【図１９】
0005714725.tif 000029
【図２０】
0005714725.tif 000030
【図２１】
0005714725.tif 000031
【図２２】
0005714725.tif 000032
【図２３】
0005714725.tif 000033
【図４】
0005714725.tif 000034